(57)【要約】  本発明は、学習者の外国語の上達レベルに合致した学習を行い、学習効率を格段に高めることができる外国語学習装置を得る。  第１言語のみで構成された一文の音声出力を複数の異なる速度で実行する複数の第１音声データと、第１言語の一文を構成する一要素と第１言語の一文を構成する一要素の翻訳となる第２言語の一要素とを交互に組み合わせて構成された一文の音声出力を複数の異なる速度で実行する複数の第２音声データと、を記憶する記憶部１２と、テストを実行するテスト実行部１４と、学習者の解答を入力する解答入力部１６と、学習者の解答の結果を考慮して第１音声データ又は第２音声データに基づく音声出力の速度を選択する音声速度選択部２０と、選択された速度で第１音声データ又は第２音声データに基づく音声出力を実行する音声出力部２２と、を有する。【選択図】      図２
2010140258.tif 000002
【特許請求の範囲】
【請求項１】
第１言語のみで構成された一文の音声出力を複数の異なる速度で実行するための複数の第１音声データと、前記第１言語の一文を構成する一要素と前記第１言語の一文を構成する一要素の翻訳となる第２言語の一要素とを交互に組み合わせて構成された一文の音声出力を複数の異なる速度で実行するための複数の第２音声データと、を記憶する記憶部と、
テストを実行するテスト実行部と、
前記テスト実行部で実行されたテストに対する学習者の解答を入力する解答入力部と、
前記解答入力部に入力された解答の結果を考慮して前記記憶部に記憶された前記第１音声データ又は前記第２音声データに基づく音声出力の速度を選択する音声速度選択部と、
前記音声速度選択部で選択された速度で前記第１音声データ又は前記第２音声データに基づく音声出力を実行する音声出力部と、
を有する外国語学習装置。
【請求項２】
前記解答入力部に入力された解答の結果を考慮して合否を判定する合否判定部を有し、
前記テスト実行部は、前記第１音声データに基づく音声出力の実行後にテストを実行し、
前記音声速度選択部は、前記テストにおいて前記解答入力部で入力された解答の結果を考慮して前記合否判定部により合格であると判定された場合に、前記テストの実行後に実行する前記第１音声データに基づく音声出力の速度を選択し、
前記音声出力部は、前記テストの実行後に、前記音声速度選択部で選択された速度で、前記第１音声データに基づく音声出力を実行する請求項１に記載の外国語学習装置。
【請求項３】
前記解答入力部に入力された解答の結果を考慮して合否を判定する合否判定部を有し、
前記テスト実行部は、前記第２音声データに基づく音声出力の途中又は実行後にテストを実行し、
前記音声速度選択部は、前記テストにおいて前記解答入力部で入力された解答の結果を考慮して前記合否判定部により合格であると判定された場合に、前記テストの実行後に実行する前記第１音声データに基づく音声出力の速度を選択し、
前記音声出力部は、前記テストの実行後に、前記音声速度選択部で選択された速度で、前記第１音声データに基づく音声出力を実行する請求項１に記載の外国語学習装置。
【請求項４】
前記解答入力部に入力された解答の結果を考慮して合否を判定する合否判定部を有し、
前記テスト実行部は、前記第２音声データに基づく音声出力の途中又は実行後にテストを実行し、
前記音声速度選択部は、前記テストにおいて前記解答入力部で入力された解答の結果を考慮して前記合否判定部により合格であると判定された場合に、前記テストの実行後に実行する前記第２音声データに基づく音声出力の速度を選択し、
前記音声出力部は、前記テストの実行後に、前記音声速度選択部で選択された速度で、前記第２音声データに基づく音声出力を実行する請求項１に記載の外国語学習装置。
【請求項５】
前記解答入力部に入力された解答の結果を考慮して合否を判定する合否判定部を有し、
前記テスト実行部は、前記第１音声データに基づく音声出力の実行後にテストを実行し、
前記音声速度選択部は、前記テストにおいて前記解答入力部で入力された解答の結果を考慮して前記合否判定部により不合格であると判定された場合に、前記テストの実行前に実行した前記第１音声データ又は前記第２音声データに基づく音声出力の速度を選択し、
前記音声出力部は、前記テストの実行後に、前記音声速度選択部で選択された速度で、前記テストの実行前に実行した前記第１音声データ又は前記第２音声データに基づく音声出力を再度実行する請求項１に記載の外国語学習装置。
【請求項６】
前記解答入力部に入力された解答の結果を考慮して合否を判定する合否判定部を有し、
前記テスト実行部は、前記第２音声データに基づく音声出力の途中又は実行後にテストを実行し、
前記音声速度選択部は、前記テストにおいて前記解答入力部で入力された解答の結果を考慮して前記合否判定部により不合格であると判定された場合に、前記テストの実行前に実行した前記第２音声データに基づく音声出力の速度を選択し、
前記音声出力部は、前記テストの実行後に、前記音声速度選択部で選択された速度で、前記テストの実行前に実行した前記第２音声データに基づく音声出力を再度実行する請求項１に記載の外国語学習装置。
【請求項７】
前記解答入力部に入力された解答の結果を考慮して合否を判定する合否判定部を有し、
前記テスト実行部は、第１ステップにおいて前記第１音声データに基づく音声出力の実行後にテストを実行し、第２ステップにおいて前記第２音声データに基づく音声出力の実行後にテストを実行し、第３ステップにおいて前記第２音声データに基づく音声出力の実行後にテストを実行し、第４ステップにおいて前記第１音声データに基づく音声出力の実行後にテストを実行し、第５ステップにおいて前記第１音声データに基づく音声出力の実行後にテストを実行し、
前記音声速度選択部は、前記第１ステップの前記テストにおいて前記解答入力部で入力された解答の結果を考慮して前記第１ステップの前記テストの実行後に実行する前記第２ステップの前記第２音声データに基づく音声出力の速度を選択し、
前記第２ステップの前記テストにおいて前記解答入力部で入力された解答の結果を考慮して合格であると前記合否判定部により判定された場合に、前記第２ステップの前記テストの実行後に実行する前記第３ステップの前記第２音声データに基づく音声出力の速度を選択し、あるいは前記第２ステップの前記テストにおいて前記解答入力部で入力された解答の結果を考慮して不合格であると前記合否判定部により判定された場合に、前記第２ステップの前記テストの実行後に再度実行する前記第２ステップの前記第２音声データに基づく音声出力の速度を選択し、
前記第３ステップの前記テストにおいて前記解答入力部で入力された解答の結果を考慮して合格であると前記合否判定部により判定された場合に、前記第３ステップの前記テストの実行後に実行する前記第４ステップの前記第１音声データに基づく音声出力の速度を選択し、あるいは前記第３ステップの前記テストにおいて前記解答入力部で入力された解答の結果を考慮して不合格であると前記合否判定部により判定された場合に、前記第３ステップの前記テストの実行後に再度実行する前記第３ステップの前記第２音声データに基づく音声出力の速度を選択し、
前記第４ステップの前記テストにおいて前記解答入力部で入力された解答の結果を考慮して合格であると前記合否判定部により判定された場合に、前記第４ステップの前記テストの実行後に実行する前記第５ステップの前記第１音声データに基づく音声出力の速度を選択し、あるいは前記第４ステップの前記テストにおいて前記解答入力部で入力された解答の結果を考慮して不合格であると前記合否判定部により判定された場合に、前記第４ステップの前記テストの実行後に再度実行する前記第３ステップの前記第２音声データ又は前記第４ステップの前記第１音声データのいずれかに基づく音声出力の速度を選択し、
前記音声出力部は、前記第１ステップにおいて前記第１音声データに基づく音声出力を実行し、
前記第２ステップにおいて前記第２音声データに基づく音声出力を前記音声速度選択部により選択された速度で実行し、
前記第２ステップの前記テストにおいて前記解答入力部で入力された解答の結果を考慮して合格であると前記合否判定部により判定された場合に、前記第３ステップにおいて前記第２音声データに基づく音声出力を前記音声速度選択部により選択された速度で実行し、あるいは前記第２ステップの前記テストにおいて前記解答入力部で入力された解答の結果を考慮して不合格であると前記合否判定部により判定された場合に、前記第２ステップにおいて前記第２音声データに基づく音声出力を前記音声速度選択部により選択された速度で再度実行し、
前記第３ステップの前記テストにおいて前記解答入力部で入力された解答の結果を考慮して合格であると前記合否判定部により判定された場合に、前記第４ステップにおいて前記第１音声データに基づく音声出力を前記音声速度選択部により選択された速度で実行し、あるいは前記第３ステップの前記テストにおいて前記解答入力部で入力された解答の結果を考慮して不合格であると前記合否判定部により判定された場合に、前記第３ステップにおいて前記第２音声データに基づく音声出力を前記音声速度選択部により選択された速度で再度実行し、
前記第４ステップの前記テストにおいて前記解答入力部で入力された解答の結果を考慮して合格であると前記合否判定部により判定された場合に、前記第５ステップにおいて前記第１音声データに基づく音声出力を前記音声速度選択部により選択された速度で実行し、あるいは前記第４ステップの前記テストにおいて前記解答入力部で入力された解答の結果を考慮して不合格であると前記合否判定部により判定された場合に、前記第３ステップにおいて前記第２音声データ又は前記第４ステップにおいて前記第１音声データのいずれかに基づく音声出力を前記音声速度選択部により選択された速度で再度実行し、
前記第５ステップの前記テストにおいて前記解答入力部で入力された解答の結果を考慮して合格であると前記合否判定部により判定された場合に、前記第１音声データ又は前記第２音声データに基づく音声出力を終了し、あるいは前記第５ステップの前記テストにおいて前記解答入力部で入力された解答の結果を考慮して不合格であると前記合否判定部により判定された場合に、前記第１ステップにおいて前記第１音声データに基づく音声出力を再度実行する請求項１に記載の外国語学習装置。
【請求項８】
前記解答入力部に入力された解答の結果を考慮して合否を判定する合否判定部を有し、
前記テスト実行部は、第１ステップにおいて前記第１音声データに基づく音声出力の実行後にテストを実行し、第２ステップにおいて前記第２音声データに基づく音声出力の途中にテストを実行し、第３ステップにおいて前記第２音声データに基づく音声出力の途中にテストを実行し、第４ステップにおいて前記第１音声データに基づく音声出力の実行後にテストを実行し、
前記音声速度選択部は、前記第１ステップの前記テストにおいて前記解答入力部で入力された解答の結果を考慮して前記テストの実行後に実行する前記第２ステップの前記第２音声データに基づく音声出力の速度を選択し、
前記第２ステップの前記テストにおいて前記解答入力部で入力された解答の結果を考慮して合格であると前記合否判定部により判定された場合に、前記第２ステップの前記テストの実行後に実行する前記第３ステップの前記第２音声データに基づく音声出力の速度を選択し、あるいは前記第２ステップの前記テストにおいて前記解答入力部で入力された解答の結果を考慮して不合格であると前記合否判定部により判定された場合に、前記第２ステップの前記テストの実行後に再度実行する前記第２ステップの前記第２音声データに基づく音声出力の速度を選択し、
前記第３ステップの前記テストにおいて前記解答入力部で入力された解答の結果を考慮して合格であると前記合否判定部により判定された場合に、前記第３ステップの前記テストの実行後に実行する前記第４ステップの前記第１音声データに基づく音声出力の速度を選択し、あるいは前記第３ステップの前記テストにおいて前記解答入力部で入力された解答の結果を考慮して不合格であると前記合否判定部により判定された場合に、前記第３ステップの前記テストの実行後に再度実行する前記第３ステップの前記第２音声データに基づく音声出力の速度を選択し、
前記音声出力部は、前記第１ステップにおいて前記第１音声データに基づく音声出力を実行し、
前記第２ステップにおいて前記第２音声データに基づく音声出力を前記音声速度選択部により選択された速度で実行し、
前記第２ステップの前記テストにおいて前記解答入力部で入力された解答の結果を考慮して合格であると前記合否判定部により判定された場合に、前記第３ステップにおいて前記第２音声データに基づく音声出力を前記音声速度選択部により選択された速度で実行し、あるいは前記第２ステップの前記テストにおいて前記解答入力部で入力された解答の結果を考慮して不合格であると前記合否判定部により判定された場合に、前記第２ステップにおいて前記第２音声データに基づく音声出力を前記音声速度選択部により選択された速度で再度実行し、
前記第３ステップの前記テストにおいて前記解答入力部で入力された解答の結果を考慮して合格であると前記合否判定部により判定された場合に、前記第４ステップにおいて前記第１音声データに基づく音声出力を前記音声速度選択部により選択された速度で実行し、あるいは前記第３ステップの前記テストにおいて前記解答入力部で入力された解答の結果を考慮して不合格であると前記合否判定部により判定された場合に、前記第３ステップにおいて前記第２音声データに基づく音声出力を前記音声速度選択部により選択された速度で再度実行し、
前記第４ステップの前記テストにおいて前記解答入力部で入力された解答の結果を考慮して合格であると前記合否判定部により判定された場合に、前記第１音声データ又は第２音声データに基づく音声出力を終了し、あるいは前記第４ステップの前記テストにおいて前記解答入力部で入力された解答の結果を考慮して不合格であると前記合否判定部により判定された場合に、前記第１ステップにおいて前記第１音声データに基づく音声出力を再度実行する請求項１に記載の外国語学習装置。
【発明の詳細な説明】
【技術分野】
【０００１】
本発明は、外国語を早期かつ確実に習得できる外国語学習装置に関する。
【背景技術】
【０００２】
近年の急速なグローバル化現象に伴い、母国語以外の外国語を仕事上で、あるいは生活で使う必要性が増している。特に、現在では、英語が世界的な共通語になっており、母国語が英語以外の言語である場合には、英語を使用する場面が多くなっている。【０００３】
例えば、日本語を母国語とする日本人の場合を一例に挙げて説明すると、日本人の母国語である日本語は、世界的にみれば特殊な言語の部類に位置するため、日本国以外の世界各国で通用することはほとんどないといえる。このため、我々、日本人が諸外国のビジネスマンと仕事をする上において日本語は全く通用せず、まして海外旅行においても英会話程度の見識が必要となっているのが現実である。【０００４】
このように、日本人は、母国語以外の外国語、特に世界共通語となっている英語の必要性を十分に理解していても、日本国で生活している環境においては、英語の上達は困難なものになる。英語の上達法として一般的に知られている方法は、英語に関する参考書を購入して学習したり、英会話学校に通って学習したり、あるいは英語教材を購入して学習したりすることであるが、日本語と英語とは、言語学上において構造が全く異なるものであるから、なかなか英語力が上達しない。そのような状況で、現在、外国語の学習方法として、以下の内容が特許出願されている。【０００５】
なお、上記の問題点については、母国語を日本語とし、外国語を英語とする日本人の英語学習の場合以外についても成立するものであり、例えば、フランス語を母国語とするフランス人がフランス語以外の外国語（例えば、日本語、英語、ドイツ語、中国語など）を学習する場合、中国語を母国語とする中国人が中国語以外の外国語（例えば、日本語、英語、ドイツ語、フランス語など）を学習する場合などについても、同様に当てはまる。また、外国語として、世界共通語である英語を一例に挙げているが、英語に限られるものではなく、要するに、母国語と異なる外国語を学習する必要がある全ての場合に当てはまる。【０００６】
例えば、特開２００１−３３１０９２号公報（下記特許文献１参照）に示されるように、外国語とそれに相当する母国語のデータを記憶媒体に保持し、それを交互に音声で再生する語学学習システムにより、交互に収録された外国語と母国語とを反復して繰り返して英会話等を早期に習得する外国語学習装置は公知である。この外国語学習装置では、専用スイッチを操作すると、覚えた外国語に対しての母国語の訳が無音となり、これを反復練習することによってテープ全体の母国語が無くなり、外国語の会話のみのテープとなって習得効果が早められる。【０００７】
また、特開２００１−４２７５８号公報（下記特許文献２参照）に示されるように、外国語の目標言語の聞き取り及び発声の学習を学習者の学習意欲を維持しながら、無意識的に行うことができる外国語学習装置も公知である。この外国語学習装置では、外国語の言語材料から学習者の右脳が受け入れ易い準音楽的な音声組成構造（リズム・パターン）を抽出し、この音声組成構造であるリズム・パターンに一致するＢＧＭを全行程にわたって流し、このリズム・パターンのリズム音を数回提示し、その後、目標言語（例えば、英語）を数回提示し、この英語の提示毎にこの英語の内容を表現するサブリミナリ画像を提示する。学習者は、リズム・パターン中に収納された音声情報と正確な英語（目標言語）とを右脳優位を維持しながら繰り返し聞き又は発声しかつ正確な英語（目標言語発声音）をサブリミナリ画像と共に認識し、正確な英語（目標言語）を無意識に習得することができる。【０００８】
このように、従来の外国語学習装置による外国語学習方法では、外国語の文を母国語に訳す際に、外国語の文頭から文末まで一文毎に訳す学習方法が多用されている。また、リスニング学習では、通常の速度又は低い速度で発音された外国語文を聞いてリスニング能力の向上に努める方法が一般的である。
【先行技術文献】
【特許文献】
【０００９】
【特許文献１】特開２００１−３３１０９２号公報
【特許文献２】特開２００１−４２７５８号公報
【発明の概要】
【発明が解決しようとする課題】
【００１０】
ところで、いずれの外国語学習装置による外国語学習方法にしても、外国語学習装置から出力された英文あるいはＢＧＭを学習者が聴くことにより、学習者の学習効果を高める方法である。換言すれば、外国語学習装置から出力された英文あるいはＢＧＭなどを学習者が聴いて学習者の耳を英語の発音に慣れさせたり、学習者の右脳に英語のイメージを備えつけたりすることにより、学習者に対して英語に関する記憶の定着を促進させるものである。【００１１】
しかしながら、このような外国語学習方法では、学習を継続していくことにより、一定の効果が生じることも考えられるが、常に外国語学習装置からの一方的な学習方法に従うことになり、学習の進め方において学習者が外国語学習装置に対して受け身になる。これにより、外国語の学習が単調になり、あるいは学習者の学習意欲が低下していく問題がある。この結果、学習者が外国語学習に飽きてしまい、外国語を上達させることができないおそれがある。【００１２】
また、このような外国語学習装置からの一方的な学習方法を採用すると、学習者の上達レベルや上達スピードを無視した外国語学習になる。すなわち、学習者の上達レベルや上達スピードは、当然ながら個人差が生じるものであるが、学習者は、自らの語学力を無視した外国語の学習を強いられる結果になるため、一部の学習者にとっては外国語の学習が面白くなくなり、また学習効率が著しく悪くなる。このように、一部の学習者にとっては外国語の学習が続かず、また、学習者自らの上達レベルに合致（対応）した学習ができないため、結局は、外国語を上達させることができない。【００１３】
このように従来技術として知られている外国語学習方法においても、学習効果や学習効率が高くないものが大半を占めており、結果的に、英語などの外国語を習得することが困難である。その一方で、近年の急速なグローバル化に伴い、一刻も早く、外国語を習得して言葉の壁を解消しなければ、母国（自国）が世界で遅れをとり、経済を含めた母国（自国）の国力が低下する事態に至ることは明らかである。このような中で、本発明の発明者は、長年にわたり母国語以外の外国語の習得方法の研究を重ね、本発明である外国語学習装置を用いて早期かつ確実に外国語を習得する方法を発明した。【００１４】
以上のように、本発明は、上記事情に鑑み、学習者の高い学習意欲を維持しながら、各学習者の外国語の上達レベルに合致（対応）した学習を行い、学習効率を格段に高めることができる外国語学習装置を提供することを目的としている。
【課題を解決するための手段】
【００１５】
本発明は、第１言語のみで構成された一文の音声出力を複数の異なる速度で実行するための複数の第１音声データと、前記第１言語の一文を構成する一要素と前記第１言語の一文を構成する一要素の翻訳となる第２言語の一要素とを交互に組み合わせて構成された一文の音声出力を複数の異なる速度で実行するための複数の第２音声データと、を記憶する記憶部と、テストを実行するテスト実行部と、前記テスト実行部で実行されたテストに対する学習者の解答を入力する解答入力部と、前記解答入力部に入力された解答の結果を考慮して前記記憶部に記憶された前記第１音声データ又は前記第２音声データに基づく音声出力の速度を選択する音声速度選択部と、前記音声速度選択部で選択された速度で前記第１音声データ又は前記第２音声データに基づく音声出力を実行する音声出力部と、を有する外国語学習装置である。【００１６】
なお、上記した本発明は、例えば、実施形態の図２に示すリスニング工程の一工程と、図３に示すスピーキング工程の一工程と、を含む上位概念である。例えば、実施形態で説明すると、本発明中の「第１言語」が『英語』である場合には、本発明中の「第２言語」が『日本語』に対応し、また、本発明中の「第１言語」が『日本語』である場合には、本発明中の「第２言語」が『英語』に対応する。また、例えば、実施形態で説明すると、本発明中の「第１音声データ」は、リスニング工程の『英語のみの一文の音声データ』、あるいはスピーキング工程の『日本語のみの一文の音声データ』になる。また、例えば、実施形態で説明すると、本発明中の「第２音声データ」は、リスニング工程の『英文の一音節と日本語訳の一音節とをこの順序で組合せた構成の音声データ』、あるいはスピーキング工程の『日本語訳の一音節と英文の一音節とをこの順序で組合せた構成の音声データ』になる。【００１７】
また、本発明は、前記解答入力部に入力された解答の結果を考慮して合否を判定する合否判定部を有し、前記テスト実行部は、前記第１音声データに基づく音声出力の実行後にテストを実行し、前記音声速度選択部は、前記テストにおいて前記解答入力部で入力された解答の結果を考慮して前記合否判定部により合格であると判定された場合に、前記テストの実行後に実行する前記第１音声データに基づく音声出力の速度を選択し、前記音声出力部は、前記テストの実行後に、前記音声速度選択部で選択された速度で、前記第１音声データに基づく音声出力を実行することが好ましい。【００１８】
なお、上記した限定事項は、例えば、実施形態の図２に示すリスニング工程の第４ステップの音声出力後のテストに合格した場合における、リスニング工程の第４ステップから第５ステップまでの各処理を含んだ概念である。【００１９】
本発明は、前記解答入力部に入力された解答の結果を考慮して合否を判定する合否判定部を有し、前記テスト実行部は、前記第２音声データに基づく音声出力の途中又は実行後にテストを実行し、前記音声速度選択部は、前記テストにおいて前記解答入力部で入力された解答の結果を考慮して前記合否判定部により合格であると判定された場合に、前記テストの実行後に実行する前記第１音声データに基づく音声出力の速度を選択し、前記音声出力部は、前記テストの実行後に、前記音声速度選択部で選択された速度で、前記第１音声データに基づく音声出力を実行することが好ましい。【００２０】
なお、上記した限定事項は、例えば、実施形態の図２に示すリスニング工程の第３ステップの音声出力後のテストに合格した場合における、リスニング工程の第３ステップから第４ステップまでの各処理と、図３に示すスピーキング工程の第３ステップの音声出力後のテストに合格した場合における、スピーキング工程の第３ステップから第４ステップまでの各処理と、を含む概念である。また、第２音声データに基づく音声出力の途中で実行されるテストとは、スピーキング工程の第２ステップ及び第３ステップで実行されるテストである。さらに、第２音声データに基づく音声出力の実行後に実行されるテストとは、リスニング工程の第２ステップ及び第３ステップで実行されるテストである。【００２１】
本発明は、前記解答入力部に入力された解答の結果を考慮して合否を判定する合否判定部を有し、前記テスト実行部は、前記第２音声データに基づく音声出力の途中又は実行後にテストを実行し、前記音声速度選択部は、前記テストにおいて前記解答入力部で入力された解答の結果を考慮して前記合否判定部により合格であると判定された場合に、前記テストの実行後に実行する前記第２音声データに基づく音声出力の速度を選択し、前記音声出力部は、前記テストの実行後に、前記音声速度選択部で選択された速度で、前記第２音声データに基づく音声出力を実行することが好ましい。【００２２】
なお、上記した限定事項は、例えば、実施形態の図２に示すリスニング工程の第２ステップの音声出力後のテストに合格した場合における、リスニング工程の第２ステップから第３ステップまでの各処理、あるいは、図３に示すスピーキング工程の第２ステップの音声出力後のテストに合格した場合における、スピーキング工程の第２ステップから第３ステップまでの各処理を含む概念である。また、第２音声データに基づく音声出力の途中で実行されるテストとは、スピーキング工程の第２ステップ及び第３ステップで実行されるテストである。さらに、第２音声データに基づく音声出力の実行後に実行されるテストとは、リスニング工程の第２ステップ及び第３ステップで実行されるテストである。【００２３】
本発明は、前記解答入力部に入力された解答の結果を考慮して合否を判定する合否判定部を有し、前記テスト実行部は、前記第１音声データに基づく音声出力の実行後にテストを実行し、前記音声速度選択部は、前記テストにおいて前記解答入力部で入力された解答の結果を考慮して前記合否判定部により不合格であると判定された場合に、前記テストの実行前に実行した前記第１音声データ又は前記第２音声データに基づく音声出力の速度を選択し、前記音声出力部は、前記テストの実行後に、前記音声速度選択部で選択された速度で、前記テストの実行前に実行した前記第１音声データ又は前記第２音声データに基づく音声出力を再度実行することが好ましい。【００２４】
なお、上記限定事項は、例えば、実施形態の図２に示すリスニング工程の第４ステップの音声出力後のテストに不合格になった場合における、リスニング工程の第３ステップの再実行処理又はリスニング工程の第４ステップのいずれかの再実行処理と、図２に示すリスニング工程の第５ステップの音声出力後のテストに不合格になった場合における、リスニング工程の第１ステップの再実行処理と、図３に示すスピーキング工程の第４ステップの音声出力後のテストに不合格になった場合における、スピーキング工程の第１ステップの再実行処理と、を含む概念である。【００２５】
本発明は、前記解答入力部に入力された解答の結果を考慮して合否を判定する合否判定部を有し、前記テスト実行部は、前記第２音声データに基づく音声出力の途中又は実行後にテストを実行し、前記音声速度選択部は、前記テストにおいて前記解答入力部で入力された解答の結果を考慮して前記合否判定部により不合格であると判定された場合に、前記テストの実行前に実行した前記第２音声データに基づく音声出力の速度を選択し、前記音声出力部は、前記テストの実行後に、前記音声速度選択部で選択された速度で、前記テストの実行前に実行した前記第２音声データに基づく音声出力を再度実行することが好ましい。【００２６】
なお、上記限定事項は、例えば、実施形態の図２に示すリスニング工程の第２ステップの音声出力後のテストに不合格になった場合における、リスニング工程の第２ステップの再実行処理と、図２に示すリスニング工程の第３ステップの音声出力後のテストに不合格になった場合における、リスニング工程の第３ステップの再実行処理と、図３に示すスピーキング工程の第２ステップの音声出力後のテストに不合格になった場合における、スピーキング工程の第２ステップの再実行処理と、図３に示すスピーキング工程の第３ステップの音声出力後のテストに不合格になった場合における、スピーキング工程の第３ステップの再実行処理と、を含む概念である。また、第２音声データに基づく音声出力の途中で実行されるテストとは、スピーキング工程の第２ステップ及び第３ステップで実行されるテストである。さらに、第２音声データに基づく音声出力の実行後に実行されるテストとは、リスニング工程の第２ステップ及び第３ステップで実行されるテストである。【００２７】
本発明は、前記解答入力部に入力された解答の結果を考慮して合否を判定する合否判定部を有し、前記テスト実行部は、第１ステップにおいて前記第１音声データに基づく音声出力の実行後にテストを実行し、第２ステップにおいて前記第２音声データに基づく音声出力の実行後にテストを実行し、第３ステップにおいて前記第２音声データに基づく音声出力の実行後にテストを実行し、第４ステップにおいて前記第１音声データに基づく音声出力の実行後にテストを実行し、第５ステップにおいて前記第１音声データに基づく音声出力の実行後にテストを実行し、前記音声速度選択部は、前記第１ステップの前記テストにおいて前記解答入力部で入力された解答の結果を考慮して前記第１ステップの前記テストの実行後に実行する前記第２ステップの前記第２音声データに基づく音声出力の速度を選択し、前記第２ステップの前記テストにおいて前記解答入力部で入力された解答の結果を考慮して合格であると前記合否判定部により判定された場合に、前記第２ステップの前記テストの実行後に実行する前記第３ステップの前記第２音声データに基づく音声出力の速度を選択し、あるいは前記第２ステップの前記テストにおいて前記解答入力部で入力された解答の結果を考慮して不合格であると前記合否判定部により判定された場合に、前記第２ステップの前記テストの実行後に再度実行する前記第２ステップの前記第２音声データに基づく音声出力の速度を選択し、前記第３ステップの前記テストにおいて前記解答入力部で入力された解答の結果を考慮して合格であると前記合否判定部により判定された場合に、前記第３ステップの前記テストの実行後に実行する前記第４ステップの前記第１音声データに基づく音声出力の速度を選択し、あるいは前記第３ステップの前記テストにおいて前記解答入力部で入力された解答の結果を考慮して不合格であると前記合否判定部により判定された場合に、前記第３ステップの前記テストの実行後に再度実行する前記第３ステップの前記第２音声データに基づく音声出力の速度を選択し、前記第４ステップの前記テストにおいて前記解答入力部で入力された解答の結果を考慮して合格であると前記合否判定部により判定された場合に、前記第４ステップの前記テストの実行後に実行する前記第５ステップの前記第１音声データに基づく音声出力の速度を選択し、あるいは前記第４ステップの前記テストにおいて前記解答入力部で入力された解答の結果を考慮して不合格であると前記合否判定部により判定された場合に、前記第４ステップの前記テストの実行後に再度実行する前記第３ステップの前記第２音声データ又は前記第４ステップの前記第１音声データのいずれかに基づく音声出力の速度を選択し、前記音声出力部は、前記第１ステップにおいて前記第１音声データに基づく音声出力を実行し、前記第２ステップにおいて前記第２音声データに基づく音声出力を前記音声速度選択部により選択された速度で実行し、前記第２ステップの前記テストにおいて前記解答入力部で入力された解答の結果を考慮して合格であると前記合否判定部により判定された場合に、前記第３ステップにおいて前記第２音声データに基づく音声出力を前記音声速度選択部により選択された速度で実行し、あるいは前記第２ステップの前記テストにおいて前記解答入力部で入力された解答の結果を考慮して不合格であると前記合否判定部により判定された場合に、前記第２ステップにおいて前記第２音声データに基づく音声出力を前記音声速度選択部により選択された速度で再度実行し、前記第３ステップの前記テストにおいて前記解答入力部で入力された解答の結果を考慮して合格であると前記合否判定部により判定された場合に、前記第４ステップにおいて前記第１音声データに基づく音声出力を前記音声速度選択部により選択された速度で実行し、あるいは前記第３ステップの前記テストにおいて前記解答入力部で入力された解答の結果を考慮して不合格であると前記合否判定部により判定された場合に、前記第３ステップにおいて前記第２音声データに基づく音声出力を前記音声速度選択部により選択された速度で再度実行し、前記第４ステップの前記テストにおいて前記解答入力部で入力された解答の結果を考慮して合格であると前記合否判定部により判定された場合に、前記第５ステップにおいて前記第１音声データに基づく音声出力を前記音声速度選択部により選択された速度で実行し、あるいは前記第４ステップの前記テストにおいて前記解答入力部で入力された解答の結果を考慮して不合格であると前記合否判定部により判定された場合に、前記第３ステップにおいて前記第２音声データ又は前記第４ステップにおいて前記第１音声データのいずれかに基づく音声出力を前記音声速度選択部により選択された速度で再度実行し、前記第５ステップの前記テストにおいて前記解答入力部で入力された解答の結果を考慮して合格であると前記合否判定部により判定された場合に、前記第１音声データ又は前記第２音声データに基づく音声出力を終了し、あるいは前記第５ステップの前記テストにおいて前記解答入力部で入力された解答の結果を考慮して不合格であると前記合否判定部により判定された場合に、前記第１ステップにおいて前記第１音声データに基づく音声出力を再度実行することが好ましい。【００２８】
なお、上記限定事項は、例えば、実施形態の図２に示すリスニング工程の第１ステップから第５ステップまでの各処理を含む概念である。【００２９】
本発明は、前記解答入力部に入力された解答の結果を考慮して合否を判定する合否判定部を有し、前記テスト実行部は、第１ステップにおいて前記第１音声データに基づく音声出力の実行後にテストを実行し、第２ステップにおいて前記第２音声データに基づく音声出力の途中にテストを実行し、第３ステップにおいて前記第２音声データに基づく音声出力の途中にテストを実行し、第４ステップにおいて前記第１音声データに基づく音声出力の実行後にテストを実行し、前記音声速度選択部は、前記第１ステップの前記テストにおいて前記解答入力部で入力された解答の結果を考慮して前記テストの実行後に実行する前記第２ステップの前記第２音声データに基づく音声出力の速度を選択し、前記第２ステップの前記テストにおいて前記解答入力部で入力された解答の結果を考慮して合格であると前記合否判定部により判定された場合に、前記第２ステップの前記テストの実行後に実行する前記第３ステップの前記第２音声データに基づく音声出力の速度を選択し、あるいは前記第２ステップの前記テストにおいて前記解答入力部で入力された解答の結果を考慮して不合格であると前記合否判定部により判定された場合に、前記第２ステップの前記テストの実行後に再度実行する前記第２ステップの前記第２音声データに基づく音声出力の速度を選択し、前記第３ステップの前記テストにおいて前記解答入力部で入力された解答の結果を考慮して合格であると前記合否判定部により判定された場合に、前記第３ステップの前記テストの実行後に実行する前記第４ステップの前記第１音声データに基づく音声出力の速度を選択し、あるいは前記第３ステップの前記テストにおいて前記解答入力部で入力された解答の結果を考慮して不合格であると前記合否判定部により判定された場合に、前記第３ステップの前記テストの実行後に再度実行する前記第３ステップの前記第２音声データに基づく音声出力の速度を選択し、前記音声出力部は、前記第１ステップにおいて前記第１音声データに基づく音声出力を実行し、前記第２ステップにおいて前記第２音声データに基づく音声出力を前記音声速度選択部により選択された速度で実行し、前記第２ステップの前記テストにおいて前記解答入力部で入力された解答の結果を考慮して合格であると前記合否判定部により判定された場合に、前記第３ステップにおいて前記第２音声データに基づく音声出力を前記音声速度選択部により選択された速度で実行し、あるいは前記第２ステップの前記テストにおいて前記解答入力部で入力された解答の結果を考慮して不合格であると前記合否判定部により判定された場合に、前記第２ステップにおいて前記第２音声データに基づく音声出力を前記音声速度選択部により選択された速度で再度実行し、前記第３ステップの前記テストにおいて前記解答入力部で入力された解答の結果を考慮して合格であると前記合否判定部により判定された場合に、前記第４ステップにおいて前記第１音声データに基づく音声出力を前記音声速度選択部により選択された速度で実行し、あるいは前記第３ステップの前記テストにおいて前記解答入力部で入力された解答の結果を考慮して不合格であると前記合否判定部により判定された場合に、前記第３ステップにおいて前記第２音声データに基づく音声出力を前記音声速度選択部により選択された速度で再度実行し、前記第４ステップの前記テストにおいて前記解答入力部で入力された解答の結果を考慮して合格であると前記合否判定部により判定された場合に、前記第１音声データ又は第２音声データに基づく音声出力を終了し、あるいは前記第４ステップの前記テストにおいて前記解答入力部で入力された解答の結果を考慮して不合格であると前記合否判定部により判定された場合に、前記第１ステップにおいて前記第１音声データに基づく音声出力を再度実行することが好ましい。【００３０】
なお、上記限定事項は、例えば、実施形態の図３に示すスピーキング工程の第１ステップから第４ステップまでの各処理を含む概念である。
【発明の効果】
【００３１】
本発明によれば、学習者の高い学習意欲を維持しながら、各学習者の外国語の上達レベルに合致（対応）した学習を行い、学習効率を格段に高めることができる。
【図面の簡単な説明】
【００３２】
【図１】本発明の第１実施形態に係る外国語学習装置の構成図である。
【図２】本発明の第１実施形態に係る外国語学習装置を用いた外国語学習方法（リスニング工程）を示すフローチャートである。
【図３】本発明の第１実施形態に係る外国語学習装置を用いた外国語学習方法（スピーキング工程）を示すフローチャートである。
【発明を実施するための形態】
【００３３】
本発明の第１実施形態に係る外国語学習装置について、図面を参照して説明する。なお、以下に説明する外国語学習装置は、日本語を母国語とし、外国語として英語を学習する装置を一例に挙げたものであるが、言語の種類を問うものではなく、母国語と外国語とが異なる言語であれば、全ての言語に適用できる。すなわち、言語の種類は、代表的な言語として、フランス語、中国語、韓国語、スペイン語、ドイツ語、ロシア語、ポルトガル語などがあるが、本発明の外国語学習装置は、その他の言語の学習にも適用される。
【００３４】
図１に示すように、外国語学習装置１０は、記憶部１２と、テスト実行部１４と、解答入力部１６と、合否判定部１８と、音声速度選択部２０と、音声出力部２２と、これらの構成要素を統括して制御する主制御部２４と、を備えている。
【００３５】
記憶部１２は、ＲＯＭ又はＲＡＭで構成されている。記憶部１２には、第１言語のみで構成された一文の音声出力を複数の異なる速度で実行するための複数の第１音声データと、第１言語の一文を構成する一要素と第１言語の一文を構成する一要素の翻訳となる第２言語の一要素とを交互に組み合わせて構成された一文の音声出力を複数の異なる速度で実行するための複数の第２音声データと、が記憶されている。
【００３６】
具体的には、図２に示すリスニング工程では、第１言語は、英語が相当し、第２言語は、日本語が相当する。また、図３に示すスピーキング工程では、第１言語は、日本語が相当し、第２言語は、英語が相当する。このため、記憶部１２には、内容が異なる複数種類の英文と、前記英文の翻訳文に相当する複数種類の和文と、に関して複数の異なる速度で音声出力するための複数の第１音声データが記憶されている。
【００３７】
ここで、「第１言語のみで構成された一文」とは、本実施形態の図２に示すリスニング工程では、英語のみで完成された英文（一文）である。具体的には、ネイティブイングリッシュスピーカによって、複数の速度で録音された英文である。この英文とは、例えば、以下のようなものである。
【００３８】
（リスニング工程に採用される英文の一例）
Lucy
and I met at the prom when we were high school students. She was referred by
her friend who was in my biology class. We danced together and talked a lot at
the prom, so we promised to see again.
本実施形態では、この英文は、第１言語のみで構成された一文が第１音声データに基づいて音声出力されるリスニング工程の第１ステップ、第４ステップ及び第５ステップに採用される。
【００３９】
また、「第１言語のみで構成された一文」とは、本実施形態の図３に示すスピーキング工程では、日本語のみで完成された和文（一文）である。具体的には、日本人によって、所定の速度で録音された和文である。この和文とは、例えば、以下のようなものである。
【００４０】
（スピーキング工程に採用される和文一例）
このジャケットに合うズボンはありますか？
本実施形態では、スピーキング工程の第１ステップと、第４ステップと、に採用される。
【００４１】
なお、実際には、スピーキング工程の第１ステップ及び第４ステップで、上記した和文の一文が所定の速度で音声出力された後、所定の休止時間を経過して、その和文を英訳した英文の一文が所定の速度で音声出力される。具体的には、以下の通りである。
（スピーキング工程に採用される和文一例）
このジャケットに合うズボンはありますか？＿＿＿＿Do you have trousers that go with this jacket?
スピーキング工程の第１ステップ及び第４ステップでは、上記のように、和文のみの一文の音声出力→休止時間（テストの実行時間）→和文の英訳となる英文の一文の音声出力が実行される。
【００４２】
ここで、休止時間は、学習者が発話するために必要な時間をテストの実行時間として計算して導入される。具体的には、和文が音声出力された後、学習者は、所定の時間以内に、この和文を英訳した英文を考えて発話する。その後、正解となる英文が音声出力される。
【００４３】
「第１言語のみで構成された一文の音声出力を複数の異なる速度で実行するための複数の第１音声データ」とは、本実施形態の図２に示すリスニング工程では、上記した英文（一文）が複数の速度で音声出力するための音声データを意味する。ここで、「複数の速度」とは、１分間に音声出力される（流れる）英文の速度（英文を話す速度）を意味するものであり、例えば、リスニング工程における第１ステップの英文の速度は、１分間に約１００語から約１５０語を音声出力する範囲のうちいずれか複数の速度（例えば、１分間に約１００語を音声出力する速度）に設定されている。リスニング工程における第４ステップの英文の速度は、第１ステップの英文の速度を基準として、その約２００％から約５００％（１分間に約２００語から約７５０語を音声出力する範囲のうちいずれか複数の速度（例えば、１分間に約２００語から約５００語を音声出力する範囲））に設定されている。この第４ステップの英文の速度は、第３ステップのテストに合格して第４ステップに移行したときに使用する英文の速度と、第４ステップのテストが不合格になって第４ステップを再度学習するときに使用する英文の速度と、があり、１分間に約２００語から約７５０語を音声出力する範囲の中で複数の速度が記憶部１２に記憶されている。リスニング工程における第５ステップの英文の速度は、第１ステップと同様にして、１分間に約１００語から約１５０語を音声出力する範囲のうちいずれか複数の速度（例えば、１分間に約１００語を音声出力する速度）に設定されている。これらは、複数の第１音声データとして、記憶部１２に予め記憶されている。
【００４４】
「第１言語のみで構成された一文の音声出力を複数の異なる速度で実行するための複数の第１音声データ」とは、本実施形態の図３に示すスピーキング工程では、英語のみで完成された英文（一文）の意味を示す和文（一文）を複数の速度で音声出力するための音声データを意味する。ここで、「複数の速度」とは、１分間に音声出力される（流れる）和文の速度（和文を話す速度）を意味するものであり、例えば、スピーキング工程における第１ステップの和文の速度は、１分間に約１００語から約１５０語を音声出力する範囲のうちいずれか複数の速度（例えば、１分間に約１００語を音声出力する速度）に設定されている。スピーキング工程における第４ステップの英文の速度は、第１ステップの和文の速度を基準として、その１００％、すなわち１分間に約１００語から約１５０語を音声出力する範囲のうちいずれか複数の速度（例えば、１分間に約１００語を音声出力する速度）に設定されている。これらは、複数の第１音声データとして、記憶部１２に予め記憶されている。
【００４５】
なお、スピーキング工程の第１ステップと第４ステップでは、和文の音声出力後の休止時間に、テストが実行され、その後、和文を英訳した英文が音声出力される。このときの、英文の音声出力の速度は、和文の速度と同程度に設定されている。
【００４６】
また、「第１言語の一文を構成する一要素」とは、リスニング工程の英文、あるいはスピーキング工程の和文を構成する一つの文節を意味する。また、「第１言語の一文を構成する一要素と第２言語の一文を構成する一要素とを交互に組み合わせて構成された一文」とは、リスニング工程では、一つの英文を構成する一つの文節の後に、この一つの文節の日本語訳に相当する和文の一つの文節が続き、これを繰り返すことで一文を完成させる構成を意味し、スピーキング工程では、一つの和文を構成する一つの文節の後に、休止時間をあけてこの一つの文節の英訳に相当する英文の一つの文節が続き、これを繰り返すことで一文を完成させる構成を意味する。例えば、第２音声データの内容は、以下のようなものである。これらに基づいた第２音声データは、図２のリスニング工程の第２ステップ及び第３ステップ、図３のスピーキング工程の第２ステップ及び第３ステップで使用される。
【００４７】
（リスニング工程に採用される第２音声データ（英文の一文節に続いて和文の一文節（以下、これをセグメント訳という）が挿入されて構成された一文））
Lucy
and I met(ルーシーと私は会った) at the prom(そのダンスパーティーで)when we were (私たちが有った時に)high school students.(高校生で)／
She
was referred(彼女は紹介された) by her friend(彼女の友人から)who was(そしてその人はいた) in my biology class.(私の生物のクラスに)／
We
danced(私たちは踊った)
together(一緒に)
and talked(そして話した) a lot (たくさん)at the prom,(そのダンスパーティーで) so then(そして、それから)we promised（私たちは約束した）to see（会うことを）again.（もう一度）／
なお、本実施形態では、図２のリスニング工程の第２ステップ及び第３ステップに採用される。
本実施形態で、この英文（第一言語）の一文節に続いて和文（第二言語）の一文節（セグメント訳）が挿入されて構成された文をリスニングすることによって、言語構造、構文がはるかに異なる第一言語を通常速度よりもはるかに速い速度で、極めて、はっきりと聞き取り、理解することを可能にしている。
【００４８】
（スピーキング工程に採用される第２音声データ（和文の一文節に続いて、休止時間（テストの実行時間）の後、英文の一文節（英訳）が挿入されて全体が構成された一文））
あなたは持っていますか? （Do
you have）ズボンを（trousers）そして、それは合っている（that go with）このジャケットと（this jacket?）．
なお、本実施形態では、図３のスピーキング工程の第２ステップ及び第３ステップに採用される。
本実施形態で、この和文（第二言語）の一文節（セグメント訳）から英文（第一言語）の一文節をスピーキングすることによって、言語構造、構文がはるかに異なる第一言語を通常速度よりもはるかに速い速度で、はっきりと発話する能力を身に付けることを可能にしている。
【００４９】
ここで、リスニング工程に採用される、英文の一文節に続いて和文の一文節（セグメント訳）が挿入されて構成された一文を作成するときの要点について以下に説明する。
【００５０】
セグメント訳：英語を述語動詞、目的語、補語、副詞、接続詞の後、及びPhrase（句）の文節単位で分けて、述語動詞、副詞、接続詞の後以外には、助詞をつけて訳したものである。
（１）セグメント訳の挿入方法：英語を主語、述語動詞、目的語、補語、修飾語句、副詞、接続語句、及びPhrase（句）の文節単位で分けた後で区切り、文節に分け、述語動詞、一部の副詞、接続語句を除く、各語句の単位に、適切な助詞をつけた日本語訳を挿入する。
（２）英語の主語と動詞が隣り合わせになっている場合は、その主語と動詞を一区切りと考え、それに、日本語訳をつけ、挿入する。主語と動詞の間に、修飾語句や挿入語句が入っている場合は、主語、Phrase（句）、動詞にそれぞれ日本語訳を挿入する。
（３）述語動詞にBE動詞がくる場合は、主語を単独で訳し、BE動詞は、後に続く形容詞や名詞と共にひとかたまりとして訳す。しかし、述語動詞のBE動詞が、存在の意味（「います」「ある」など）を表し、主語と隣り合わせになっている場合は、主語と動詞をひとかたまりとして訳します。
（４）関係代名詞・関係副詞は、以下のように訳をつけて、日本語訳の中に入れていく。英文には、あくまでもPhrase（句）ごとに挿入していく。
（Ａ）who：［そして、その人（たち）は］
（Ｂ）whose：［そして、その人（たち）の］又は［そして、それ（ら）の］
（Ｃ）whom：［そして、その人（たち）を］又は［そして、その人（たち）に］
（Ｄ）that：［そして、その人（たち）は］又は［そして、それ（ら）は］
（Ｅ）that：［そして、その人（たち）を］又は［そして、それ（ら）を］
（Ｆ）which：［そして、それ（ら）は］
（Ｇ）which：［そして、それ（ら）を］
（Ｈ）in which：［そして、それ（ら）の中で］
（Ｉ）of which：［そして、そして、それ（ら）の］
（Ｊ）to
whom：［そして、そして、その人（たち）に］
（Ｋ）where：［そして、そこで］
（Ｌ）when：［そして、その時］
（５）“because”「なぜなら〜なので」や“if”「もしも〜なら」などのように、文、文節や句の先頭と最後に訳がまたがる場合、訳の全般部分、たとえば、「なぜなら」や「もしも」を必ず、“because”や“if”の後につけて強調するようにし、先頭部分の意味の把握をしっかりするようにしておく。こうすると、文節内で戻ることなく、理解を先に、効率的かつスムーズに進めていくことが出来ます。
（６）イディオム、動詞句などの複数の単語で構成されている熟語表現は、それ自体で、一語として訳して、セグメント訳を入れる。
（７）上記のセグメント訳ルール法則に従って、セグメント訳を挿入していくと、以下のようになる。以下は、一例である。
（その１）
主語と動詞を一緒にしてその後に「セグメント訳」を入れる。
Ex1)  He has…
訳し方：He has…⇒主語「He」と動詞「has」の後に（彼は持っている）と「セグメント訳」を挿入する。
（その２）
目的語の後に「セグメント訳」を入れる。
Ex2)  He has two cars.
訳し方：He has（彼は持っている）  two cars（2台の自動車を）．
（その３）
補語の後に「セグメント訳」を入れる。
補語は、主語の状態を表す言葉である。
Ex3) You look satisfied.
訳し方： You look（君は見えるよ）satisfied（満足しているように）．
（その４）
修飾語句の後に「セグメント訳」を入れる。
Ex4)  副詞句の場合：The
book is on the book shelf.
訳し方：The book is（その本はあります）on the book shelf（その本棚に）
Ex5)  形容詞句の場合：The door on the left hand side is broken.
訳し方：The door（そのドアは）on the left hand side（左側の）is
broken（壊れています）．
（その５）
主語と動詞の間に修飾語句や挿入語句が入る場合は、主語の後、修飾語句の後、動詞の後に「セグメント訳」を入れる。
Ex6)  The plates on the table are made of silver.
訳し方：主語のThe platesと動詞のare madeは、修飾語のon the tableによって、分離されている。そこで、それぞれの後に「セグメント訳」を挿入する。
The
plates（その皿は） on the table（テーブルの上の）are made（作られています ）of silver（銀で）．
（その６）
動詞にBE動詞がくるときは、2通りの訳し方がある。
述語動詞にBE動詞がくる場合は、２通りの訳し方がある。なぜなら、ＢＥ動詞には、例１）「〜です」と訳す場合と、例２）存在を表して「います」や「あります」と訳す場合と、があるからである。
Ex7)  
He is always neat.
訳し方：ＢＥ動詞を「〜です」と訳すとき、主語を単独で訳し、ＢＥ動詞を後に来る形容詞または、名詞と一緒に訳す。
「セグメント訳」
He（彼は）is always neat（いつもきちんとしています）．
Ex8）She is in Tokyo now.
訳し方：ＢＥ動詞を、存在の「います」、「あります」と訳すときは、主語と動詞は、くっつけて訳す。
「セグメント訳」She
is（彼女は居ます）in Sydney（シドニーに）now（今）．
（その７）
接続語句の後に「セグメント訳」を入れる。
接続詞のbutやsoなどの後に「セグメント訳」を挿入する。
訳し方  …but（しかし）…
…so,（それで）…
Ex9) I like her but
I don’t like her brother.
「セグメント訳」I like（私は好きです）her（彼女が）but（しかし）I
don’t like（私は好きではありません）her brother（彼女の弟が）．
Ex10) My father told me about it before, but I
don’t remember it very well.
「セグメント訳」My father told （私の父は言いました）me（私に）about it（それについて）before,（前に）but（しかし）I don’t remember（私は覚えていない）it（それを）very well（それほど良くは）．
（その８）
名詞節を導くthatの後に「セグメント訳」を挿入する。
訳し方  名詞節を導くthatの後に（次のことを）という「セグメント訳」を挿入する。
Ex11)
The signature on this form shows that you bought it at the shop yesterday.
「セグメント訳」The signature（そのサインは、） on this form（この用紙の） shows（表しています） that（次のことを） you bought（あなたが買ったということを）it （それを） at the shop（そのお店で）yesterday（きのう）．
（その９）
there ＋ＢＥ動詞の後に「セグメント訳」を挿入する。
訳し方  there ＋ＢＥ動詞が来たら、「そこには」と訳す。この場合のＢＥ動詞は、存在を表すＢＥ動詞であるため、この例のように、thereとくっつけて解釈し、「そこにはあります」（現在形）、「そこにはありました」（過去形）などのように訳して、there ＋ＢＥ動詞の後に「セグメント訳」を挿入する。
Ex12)  There was a very nice bag at the shop.
「セグメント訳」
There was（そこにはありました） a very nice bag（とてもいいバッグが）at the shop（そのお店には）．
there ＋ＢＥ動詞が来たら、ＢＥ動詞は存在を表すＢＥ動詞であるため、この例のように、thereとくっつけて解釈する。
（関係代名詞の例）
A)主格：「〜が」、「〜は」と訳すもの。
Ex13）「セグメント訳」  The sales
manager（その営業部長は）who has just been transferred（そしてその人は転勤させられたばかり）to the new branch（その新しい支店へ）will start（始めます）next week（来週に）．
Ex14）「セグメント訳」
My staff, （私の部下は）（だれ？どんな人？） who has been working(そしてその人は働いています)for me(私のために)（どのくらい？）for one year,（１年間）is very efficient（とても有能です）．
（関係代名詞の例）
B)所有格：「〜の」と訳すもの。
Ex15) I met a guy whose sister knows you well.
whose：［そして、その人（たち）の］または［そして、それ（ら）の］；
「セグメント訳」
I met（私は会いました）a guy（男に会った） whose sister knows（そしてその人の妹は知っている） you（君を） well（よく）．
C)目的格：「〜を」と訳すもの。
Ex16) The branch manager
whom you’d like to see is on vacation.
「セグメント訳」 The branch manager （その支店長は、）whom（その人に）you’d like to see（あなたはお会いになりたい）is on vacation（休暇中です）．
なお、目的格の関係代名詞は、省略することがある。
（関係副詞の例）
Ex17）The village where I used
to live when I was younger was very beautiful.
「セグメント訳」The village（その村は）（どこ？  どんなところ？） where（そして、そこで） I used to live（私は、かつて住んでいた）（いつごろ？）when（ときに）I was younger（私が今より若かったときに）was very beautiful（とてもきれいだった）．
（その１０）
because”や“if”、”when”などは、その直後とその後の主語と動詞の後に分けて「セグメント訳」を入れる。
“…because
he knew…. ”を「セグメント訳」にすると、
「セグメント訳」  …because （なぜなら）he knew（彼は知っていたので）…
Ex18）becauseの例
We
didn’t go out because it was raining hard.
「セグメント訳」We didn’t go out（私たちは外出しなかった）because（なぜなら） it was raining（雨が降っていたので） hard（激しく）．
Ex19）ifの例
I
didn’t like the movie because it was boring.
「セグメント訳」I didn’t like（私は好きではなかった） the movie（その英語を ）because（なぜなら） it was boring（それは、退屈だったから）．
Ex20）If you didn’t go to her wedding, she would be hurt.
「セグメント訳」If you didn’t go（もしも君が行かなかったら） to her wedding,（彼女の結婚式に） she would be hurt（彼女は傷ついたことでしょう。）．
Ex20）熟語の例：
「セグメント訳」  Are you getting along（あなたは仲良くやっていますか? ）with your brother?（あなたの兄(弟)と）．
【００５１】
また、「第１言語の一文を構成する一要素と第２言語の一文を構成する一要素とを交互に組み合わせて構成された一文の音声出力を複数の異なる速度で実行するための複数の第２音声データ」とは、リスニング工程では、英文の一文節の後にこの日本語訳となる和文の一文節を挿入し、これを繰り返すことで構成された一文を複数の速度で音声出力するための音声データを意味し、スピーキング工程では、和文の一文節の後にテストの実行時間となる休止時間を設けて和文の英訳となる英文の一文節を挿入し、これを繰り返すことで構成された一文を複数の速度で音声出力するための音声データを意味する。ここで、英文の一文節の音声出力の速度と和文の一文節の音声出力の速度とは、略同じ速度に設定されており、両方の速度が速くなると、英文の一文節と和文の一文節とで構成された一文の速度が速くなり、両方の速度が遅くなると、英文の一文節と和文の一文節とで構成された一文の速度が遅くなる。
【００５２】
ここで、「複数の速度」とは、１分間に音声出力される一文の速度（英文の一文節の速度、あるいは和文の一文節の速度）を意味するものであり、例えば、リスニング工程における第２ステップの一文の速度（英文の一文節の速度、あるいは和文の一文節の速度）は、１分間に約１００語から約１５０語を音声出力する範囲のうちいずれかの速度（例えば、１分間に約１００語を音声出力する速度）を基準として、その５０％から１５０％の範囲（１分間に約５０語から約２２５語を音声出力する範囲）のうちいずれか複数の速度に設定されている。リスニング工程における第３ステップの一文の速度（英文の一文節の速度、あるいは和文の一文節の速度）は、１分間に約１００語から約１５０語を音声出力する範囲のいずれかの速度（例えば、１分間に約１００語を音声出力する速度）を基準として、その１５０％から５００％の範囲（１分間に約１５０語から約７５０語を音声出力する範囲）のうちいずれか複数の速度に設定されている。
【００５３】
ここで、リスニング工程における第２ステップの一文の速度は、学習者の能力（第１ステップのテストの結果）に応じて、１分間に約５０語から約２２５語を音声出力する範囲の中で複数の速度が予め用意されている。また、リスニング工程における第３ステップの一文の速度は、学習者の能力（第２ステップ、第３ステップあるいは第４ステップのテストの結果）に応じて、１分間に約１５０語から約７５０語を音声出力する範囲の中で複数の速度が予め用意されている。特に、第３ステップの一文の速度は、第２ステップのテストに合格して第３ステップに移行したときに使用する一文の速度と、第３ステップのテストが不合格になって第３ステップを再度学習するときに使用する一文の速度と、第４ステップのテストが不合格になって第３ステップを再度学習するときに使用する一文の速度と、があり、１分間に約１５０語から約７５０語を音声出力する範囲の中で複数の速度が記憶部１２に記憶されている。これらは、複数の第２音声データとして、記憶部１２に予め記憶されている。
【００５４】
スピーキング工程における第２ステップの一文の速度（和文の一文節の速度、あるいは英文の一文節の速度）は、学習者の能力（第１ステップのテストの結果）に応じて設定されている。具体的には、スピーキング工程における第２ステップの一文の速度（和文の一文節の速度、あるいは英文の一文節の速度）は、１分間に約１００語から約１５０語を音声出力する範囲のいずれかの速度（例えば、１分間に約１００語を音声出力する速度）を基準として、その５０％から１５０％の範囲（１分間に約５０語から約２２５語を音声出力する範囲）の中で複数の速度が設定されている。スピーキング工程における第３ステップの一文の速度は、１分間に約１００語から約１５０語を音声出力する範囲のいずれかの速度（例えば、１分間に約１００語を音声出力する速度）を基準として、その２００％から５００％の範囲（１分間に約２００語から約７５０語を音声出力する範囲）の中で複数の速度が設定されている。これらは、複数の第２音声データとして、記憶部１２に予め記憶されている。
【００５５】
テスト実行部１４は、例えば、ＣＰＵで構成されている。テスト実行部１４は、外国語学習方法における各ステップにおいて学習者に対してテストを実行する。具体的には、リスニング工程は、後述するように５つのステップで構成されており、各ステップ毎にテストがテスト実行部１４によって実行される。また、スピーキング工程は、後述するように４つのステップで構成されており、各ステップ毎にテストがテスト実行部１４によって実行される。
【００５６】
（リスニング工程）
リスニング工程は、第１ステップと、第２ステップと、第３ステップと、第４ステップと、第５ステップと、で構成されている。第１ステップでは、第１言語のみの一文（例えば、英文）が音声出力された後、学習者の上達レベルを確認するためにテストがテスト実行部１４によって実行される。第２ステップでは、第１言語の一文節と第２言語の一文節とを組み合わせ、これを繰り返すことにより全体が構成された一文（例えば、英文の一文節とその日本語訳となる和文の一文節とをセットにして全体が表現された一文）が音声出力された後、学習者の上達レベルを確認するためにテストがテスト実行部１４によって実行される。第３ステップでは、第１言語の一文節と第２言語の一文節とを組み合わせ、これを繰り返すことにより全体が構成された一文（例えば、英文の一文節とその日本語訳となる和文の一文節とをセットにして全体が表現された一文）が音声出力された後、学習者の上達レベルを確認するためにテストがテスト実行部１４によって実行される。第４ステップでは、第１言語のみの一文（例えば、英文）が音声出力された後、学習者の上達レベルを確認するためにテストがテスト実行部１４によって実行される。第５ステップでは、第１言語のみの一文（例えば、英文）が音声出力された後、学習者の上達レベルを確認するためにテストがテスト実行部１４によって実行される。なお、各ステップにおける音声出力の速度は、上述した通りである。これらのように、テスト実行部１４は、学習者の上達レベル（語学力）を確認するために、各ステップにおいてテストを実行する。
【００５７】
（スピーキング工程）
スピーキング工程は、第１ステップと、第２ステップと、第３ステップと、第４ステップと、で構成されている。第１ステップでは、第１言語のみの一文（例えば、和文）が音声出力された後、学習者の上達レベルを確認するためにテストがテスト実行部１４によって実行される。なお、第１ステップでは、テストの実行後に、第１言語のみの一文（例えば、和文）の英訳である英文が音声出力される。第２ステップでは、第１言語の一文節と所定の休止時間（テスト実行時間）をあけて続く第１言語の一文節の翻訳文である第２言語の一文節とを組み合わせ、これを繰り返すことにより全体が構成された一文（例えば、和文の一文節と所定の休止時間をあけて続くその英訳である英文の一文節とをセットにして全体が表現された一文）が音声出力される途中に介在するそれぞれの休止時間に、学習者の上達レベルを確認するためにテストがテスト実行部１４によって実行される。第３ステップでは、第１言語の一文節と所定の休止時間（テスト実行時間）をあけて続く第１言語の一文節の翻訳文である第２言語の一文節とを組み合わせ、これを繰り返すことにより全体が構成された一文（例えば、和文の一文節と所定の休止時間をあけて続くその英訳である英文の一文節とをセットにして全体が表現された一文）が音声出力される途中に介在するそれぞれの休止時間に、学習者の上達レベルを確認するためにテストがテスト実行部１４によって実行される。第４ステップでは、第１言語のみの一文（例えば、和文）が音声出力された後、学習者の上達レベルを確認するためにテストがテスト実行部１４によって実行される。なお、第４ステップでは、テストの実行後に、第１言語のみの一文（例えば、和文）の英訳である英文が音声出力される。これらのように、テスト実行部１４は、学習者の上達レベルを確認するために、各ステップにおいてテストを実行する。
【００５８】
ここで、テスト実行部１４によってリスニング工程の各ステップ（第１ステップから第５ステップ）で実行されるテストの形式は、直接発話応答式、Multiple Choice方式などか採用される。これの形式のテストを実行するために、外国語学習装置には後述する解答入力部１６が設けられている。テスト実行部１４で実行されるテストの問題の内容は、予め記憶部１２に複数の問題データとして記憶されている。例えば、リスニング工程の各ステップにおけるテストの問題は、聴解内容把握問題(Listening comprehension)、ボキャブラリー問題、グラマー問題などが用意されている。
【００５９】
また、テスト実行部１４によってスピーキング工程の各ステップ（第１ステップから第４ステップ）で実行されるテストの形式は、直接発話応答式、すなわち、学習者が発話した英文を解答入力部１６（例えば、音声認識装置など）によって、ディスプレー、モニター、スクリーンなどに適宜表示し、正誤を判定する形式が採用されている。テストの問題の内容は、学習者が発話した英文が各ステップで音声出力された和文の英訳（正解）と一致するか否かがテスト実行部１４により判断される。この判断は、各ステップで音声出力された和文の英訳（正解）が予め記憶部１２に記憶されており、学習者が発話した英文と各ステップで音声出力された和文の英訳（正解）とが一致するか否かで判断される。また、記憶部１２には、各ステップで音声出力された和文の英訳（正解）の類似の解答（複数の類似解答）が予め記憶されており、学習者が発話した英文が各ステップで音声出力された和文の英訳（正解）と一致しない場合には、学習者が発話した英文が類似の解答と一致するか否かがテスト実行部１４により判断される。この結果により、学習者の上達レベルが把握される。このようにして、スピーキング工程の各ステップにおいてテストがテスト実行部１４により実行される。
【００６０】
解答入力部１６は、外国語学習装置１０に付随するハードウエア装置や外国語学習装置にインストールされた入力プログラム（例えば、音声認識プログラム）などが用いられる。例えば、解答入力部１６として、タッチパッド、音声認識、ＯＣＲ、ＯＰＲ、キーボード、マウス、マイク、音声認識装置、音声認識プログラムなどが該当する。リスニング工程とスピーキング工程の各テストにおいて、学習者がこれらの解答入力部１６を用いて解答を入力することができる。
【００６１】
合否判定部１８は、例えば、ＣＰＵで構成されている。合否判定部１８は、リスニング工程とスピーキング工程の各テストにおいて、学習者が解答入力部１６を用いて入力した解答に基づいて、各ステップで実行されるテストの合否を判定する。なお、判定基準として、予め記憶部１２に各ステップで実行されるテストの合否基準データが記憶部１２に記憶されており、合否判定部１８は、この合否基準データを参照して、合否基準データよりも高い点かあるいは低い点かによって各ステップで実行されるテストの合否を判定する。具体的には、テストの結果（スコア）が合否基準データよりも高い場合には合格と判定され、テストの結果（スコア）が合否基準データよりも低い場合には不合格と判定される。なお、各ステップで実行されるテストの合否基準データとは、リスニング工程の第２ステップ、第３ステップ、第４ステップ及び第５ステップのテストで合否を判定するための基準データと、スピーキング工程の第２ステップ、第３ステップ及び第４ステップのテストで合否を判定するための基準データと、が含まれる。なお、リスニング工程の第１ステップのテスト及びスピーキング工程の第１ステップのテストの結果に基づいた合否は、判定されない。このため、学習者がリスニング工程の第１ステップを終了すると、自動的に、リスニング工程の第２ステップに進む。また、学習者がスピーキング工程の第１ステップを終了すると、自動的に、スピーキング工程の第２ステップに進む。
【００６２】
音声速度選択部２０は、例えば、ＣＰＵで構成されている。音声速度選択部２０は、学習者が解答入力部１６で入力した解答の結果を適宜考慮して、リスニング工程における各ステップの第１言語（英語）のみからなる一文、スピーキング工程における各ステップの第１言語（日本語）のみからなる一文、あるいは第１言語（英語／日本語）のみからなる一文の一文節とその翻訳となる第２言語（日本語／英語）のみからなる一文の一文節とを組み合わせ、これを繰り返すことにより全体が構成された一文の速度を選択する。記憶部１２には、複数の速度で、第１言語（英語）のみの一文及び第１言語（日本語）のみの一文を音声出力するための複数の第１音声データと、第１言語（英語／日本語）のみからなる一文の一文節とその翻訳となる第２言語（日本語／英語）のみからなる一文の一文節とを組み合わせ、これを繰り返すことにより全体が構成された一文を音声出力するための複数の第２音声データと、が予め記憶されている。そして、音声速度選択部２０は、学習者が各テストにおいて解答入力部１６で入力した解答の結果を考慮して、学習者の語学力（実力）と対応する速度の第１音声データ又は第２音声データを選択する。
【００６３】
音声出力部２２は、例えば、スピーカと、スピーカの音声出力を制御するＣＰＵと、で構成されている。音声出力部２２は、リスニング工程及びスピーキング工程の各ステップにおいて、音声速度選択部２０で選択された第１音声データ又は第２音声データに基づいて（換言すれば、音声速度選択部２０で選択された速度に基づいて）、第１言語（英語）のみからなる一文、スピーキング工程における各ステップの第１言語（日本語）のみからなる一文、あるいは第１言語（英語／日本語）のみからなる一文の一文節とその翻訳となる第２言語（日本語／英語）のみからなる一文の一文節とを組み合わせ、これを繰り返すことにより全体が構成された一文の音声を出力する。
【００６４】
音声出力部２２は、ＤＰＣ（Digital Pitch Controller）を内蔵しており、音声出力が高速又は低速になった場合でも、音程を一定に維持することができるようになっている。これにより、音声出力部２２のＤＰＣの機能により、リスニング工程及びスピーキング工程の各ステップにおける各音声データの音声出力の音程が一定に保たれる。
【００６５】
主制御部２４は、記憶部１２と、テスト実行部１４と、解答入力部１６と、合否判定部１８と、音声速度選択部２０と、音声出力部２２と、を統括して、これらが相互に連携して動作するように制御する。
【００６６】
次に、外国語学習装置１０を用いて外国語学習方法について概説する。
【００６７】
（リスニング工程）
本発明のリスニング工程は、以下の５つのステップからなる。
【００６８】
第１ステップ:
第１言語のみからなる一文が音声出力され、その後、第１ステップのテストが開始される。例えば、第１言語のみからなる一文として、英語のみで構成された一文（英文）が採用される。この英文は、予め記憶部１２に記憶された第１音声データが用いられる。また、第１ステップにおいて、英語のみで構成された一文（英文）の音声速度は、いわゆるノーマル速度である。
【００６９】
第２ステップ:
第１言語のみからなる一文の一文節とその翻訳となる第２言語のみからなる一文の一文節とを組み合わせ、これを繰り返すことで全体が構成された一文が音声出力され、その後、第２ステップのテストが開始される。例えば、英文（第１言語）の一文節と和文（第２言語）の一文節（英文の一文節の日本語訳に相当するもの）とを組み合わせて全体が構成された一文が採用される。この一文は、予め記憶部１２に記憶された第２音声データが用いられる。また、一文の音声速度は、第１ステップ又は第２ステップのテストの結果を考慮して決定される速度である。
【００７０】
第３ステップ:
第１言語のみからなる一文の一文節とその翻訳となる第２言語のみからなる一文の一文節とを組み合わせ、これを繰り返すことで全体が構成された一文が音声出力され、その後、第３ステップのテストが開始される。例えば、英文（第１言語）の一文節と和文（第２言語）の一文節（英文の一文節の日本語訳に相当するもの）とを組み合わせて全体が構成された一文が採用される。この一文は、予め記憶部１２に記憶された第２音声データが用いられる。また、一文の音声速度は、第２ステップ、第３ステップ又は第４ステップのテストの結果を考慮して決定される速度である。
【００７１】
第４ステップ:
第１言語のみで構成された一文が音声出力され、その後、第４ステップのテストが開始される。例えば、第１言語のみからなる構成された一文として、英語のみで構成された一文（英文）が採用される。この英文は、予め記憶部１２に記憶された第１音声データが用いられる。また、英語のみで構成された一文（英文）の音声速度は、第３ステップ又は第４ステップのテストの結果を考慮して決定される速度である。
【００７２】
第５ステップ:
第１言語のみで構成された一文が音声出力され、その後、第５ステップのテストが開始される。例えば、第１言語のみで構成された一文として、英語のみからなる構成された一文（英文）が採用される。この英文は、予め記憶部１２に記憶された第１音声データが用いられる。また、英語のみで構成された一文（英文）の音声速度は、いわゆるノーマル速度である。
【００７３】
以上のように、外国語学習装置１０を用いた外国語学習方法のリスニング工程は、５つのステップから構成されている。
【００７４】
（スピーキング工程）
本発明のスピーキング工程は、以下の４つのステップからなる。
【００７５】
第１ステップ:
第１言語のみで構成された一文が音声出力され、その後、第１ステップのテストが開始される。例えば、第１言語のみからなる一文として、日本語のみで構成された一文（和文）が採用される。この和文は、予め記憶部１２に記憶された第１音声データが用いられる。また、日本語のみで構成された一文（和文）の音声速度は、いわゆるノーマル速度である。
【００７６】
第２ステップ:
第１言語のみからなる一文の一文節の後に、所定の休止時間を入れて、第２言語のみからなる一文の一文節を続け、これを繰り返して全体が構成された一文が音声出力される。例えば、和文の一文節と英文の一文節（和文の一文節の英訳に相当するもの）とを組み合わせ、これを繰り返して構成された一文が採用される。この一文は、予め記憶部１２に記憶された第２音声データが用いられる。なお、上記した休止時間に、第２ステップのテストが実行される。また、この一文の音声速度は、第１ステップ又は第２ステップのテストの結果を考慮して決定される速度である。
【００７７】
第３ステップ:
第１言語のみからなる一文の一文節の後に、所定の休止時間を入れて、第２言語のみからなる一文の一文節を続け、これを繰り返して全体が構成された一文が音声出力される。例えば、和文の一文節と英文の一文節（和文の一文節の英訳に相当するもの）とを組み合わせ、これを繰り返して構成された一文が採用される。この一文は、予め記憶部１２に記憶された第２音声データが用いられる。なお、上記した休止時間に、第３ステップのテストが実行される。また、この一文の音声速度は、第２ステップ又は第３ステップのテストの結果を考慮して決定される速度である。
【００７８】
第４ステップ:
第１言語のみで構成された一文が音声出力され、その後、第４ステップのテストが開始される。例えば、第１言語のみからなる一文として、日本語のみで構成された一文（和文）が採用される。この和文は、予め記憶部１２に記憶された第１音声データが用いられる。また、日本語のみで構成された一文（和文）の音声速度は、いわゆるノーマル速度である。
【００７９】
以上のように、外国語学習装置１０を用いた外国語学習方法のスピーキング工程は、４つのステップから構成されている。
【００８０】
次に、外国語学習装置１０を用いて外国語学習方法について、フローチャートに基づいて詳細に説明する。
【００８１】
先ず、リスニング工程について説明する。
図２に示すように、先ず、第１ステップが開始される。
第１ステップでは、第１音声データに基づく音声出力が音声出力部２２により実行される（Ｓ１００）。リスニング工程の第１ステップでは、英文が音声出力される。リスニング工程における第１ステップの英文は、１分間に約１００語から約１５０語を音声出力する範囲のうちいずれか複数の速度のうち、所定の速度（例えば、１分間に約１００語を音声出力する速度）で音声出力される。
【００８２】
第１ステップの音声出力の実行後、第１ステップのテストがテスト実行部１４により実行される（Ｓ１１０）。このテストでは、テスト実行部１４から聴解内容把握問題(Listening comprehension)、ボキャブラリー問題、グラマー問題などが出題される。問題の出題方法は、外国語学習装置１０に組み込まれ、あるいは付随する液晶表示部に表示され、必要に応じてスピーカから音声出力される。これに対して、学習者は、問題の解答を解答入力部１６から入力する。解答入力部１６から解答が入力された場合には、第２ステップで音声出力される第１言語（英語）のみからなる一文の一文節とその翻訳である第２言語（日本語）のみからなる一文の一文節（第１言語（英語）からなる一文の一文節の日本語訳に相当するもの）とを組み合わせて完成させた一文の音声速度が音声速度選択部２０により選択される（Ｓ１２０）。ここで、第２ステップにおける第１言語（英語）のみからなる一文の一文節とその翻訳である第２言語（日本語）のみからなる一文の一文節（第１言語（英語）からなる一文の一文節の日本語訳に相当するもの）とを組み合わせて完成させた一文の音声速度は、第１ステップのテストの結果（スコア）を考慮して、１分間に約１００語から約１５０語を音声出力する範囲のうちいずれかの速度（例えば、１分間に約１００語を音声出力する速度）を基準として、その基準の５０％から１５０％の範囲（１分間に約５０語から約２２５語を音声出力する範囲）のうちの所定の速度が選択される。当然ながら、第１ステップのテストの結果（スコア）が悪い場合には、上記音声速度は、１分間に約１００語から約１５０語を音声出力する範囲のうちいずれかの速度（例えば、１分間に約１００語を音声出力する速度）を基準として５０％になる。一方、第１ステップのテストの結果（スコア）が良い場合には、上記音声速度は、１分間に約１００語から約１５０語を音声出力する範囲のうちいずれかの速度（例えば、１分間に約１００語を音声出力する速度）を基準として１５０％になる。これにより、学習者の上達レベルや学力に合致させた学習設定が可能になり、学習効率を高めることができる。なお、第１ステップが終了すると、必ず、第２ステップに進む。
【００８３】
次に、リスニング工程の第２ステップが開始される。
第２ステップでは、第２音声データに基づく音声出力が音声出力部２２により実行される（Ｓ１３０）。リスニング工程の第２ステップでは、第１言語（英語）のみからなる一文の一文節とその翻訳である第２言語（日本語）のみからなる一文の一文節（第１言語（英語）からなる一文の一文節の日本語訳に相当するもの）とを組み合わせて完成させた一文が音声出力される。リスニング工程における第２ステップの一文は、Ｓ１２０において音声速度選択部２０で選択された速度（第２音声データ）に基づいて、音声出力される。具体的には、一文の音声速度は、Ｓ１２０において音声速度選択部２０で選択された速度、すなわち、１分間に約１００語から約１５０語を音声出力する範囲のうちいずれかの速度（例えば、１分間に約１００語を音声出力する速度）を基準として、その５０％から１５０％の範囲（１分間に約５０語から約２２５語を音声出力する範囲）のうちの所定の速度である。なお、音声出力部２２により、音声出力の音程が一定（第１ステップの音声出力の音程と同程度）に維持されている。
【００８４】
第２ステップの音声出力の実行後、第２ステップのテストがテスト実行部１４により実行される（Ｓ１４０）。このテストでは、テスト実行部１４から聴解内容把握問題(Listening comprehension)、ボキャブラリー問題、グラマー問題などが出題される。問題の出題方法は、外国語学習装置１０に組み込まれ、あるいは付随する液晶表示部に表示され、必要に応じてスピーカから音声出力される。これに対して、学習者は、問題の解答を解答入力部１６から入力する。解答入力部１６から解答が入力された場合には、合否が合否基準データに基づいて合否判定部１８により判定される。そして、合否判定部１８により合格と判定された場合（Ｓ１５０：ＹＥＳ）には、第２ステップのテストの結果（スコア）を考慮して、第３ステップで音声出力される第１言語（英語）のみからなる一文の一文節と第２言語（日本語）のみからなる一文の一文節（第１言語（英語）からなる一文の一文節の日本語訳に相当するもの）とを組み合わせた一文の音声速度が音声速度選択部２０により選択される（Ｓ１６０）。具体的には、第１言語（英語）のみからなる一文の一文節と第２言語（日本語）のみからなる一文の一文節（第１言語（英語）からなる一文の一文節の日本語訳に相当するもの）とを組み合わせた一文の音声速度は、第２ステップのテストの結果（スコア）を考慮して、１分間に約１００語から約１５０語を音声出力する範囲のうちいずれかの速度（例えば、１分間に約１００語を音声出力する速度）を基準として、その基準の２００％から５００％の範囲（１分間に約２００語から約７５０語を音声出力する範囲）のうちの所定の速度が選択される。当然ながら、合格したものの第２ステップのテストの結果（スコア）が悪い場合には、上記音声速度は、１分間に約１００語から約１５０語を音声出力する範囲のうちいずれかの速度（例えば、１分間に約１００語を音声出力する速度）を基準として２００％になる。一方、第２ステップのテストの結果（スコア）が良い場合には、上記音声速度は、１分間に約１００語から約１５０語を音声出力する範囲のうちいずれかの速度（例えば、１分間に約１００語を音声出力する速度）を基準として５００％になる。これにより、学習者の上達レベルや学力に合致させた学習設定が可能になり、学習効率を高めることができる。
【００８５】
一方、合否判定部１８により不合格と判定された場合（Ｓ１５０：ＮＯ）には、第２ステップの再学習になるため、第２ステップで音声出力される第１言語（英語）のみからなる一文の一文節とその翻訳である第２言語（日本語）のみからなる一文の一文節（第１言語（英語）からなる一文の一文節の日本語訳に相当するもの）とを組み合わせて完成させた一文の音声速度が音声速度選択部２０により選択される（Ｓ１２０）。具体的には、第２ステップの一文の音声速度は、第２ステップのテストの結果（スコア）を考慮して、１分間に約１００語から約１５０語を音声出力する範囲のうちいずれかの速度（例えば、１分間に約１００語を音声出力する速度）を基準として、その基準の５０％から１５０％の範囲（１分間に約５０語から約２２５語を音声出力する範囲）のうちの所定の速度である。当然ながら、第２ステップのテストに不合格した場合で、かつ結果も著しく悪い場合には、１分間に約１００語から約１５０語を音声出力する範囲のうちいずれかの速度（例えば、１分間に約１００語を音声出力する速度）を基準として５０％になる。一方、第２ステップのテストに不合格になったものの結果（スコア）が著しく悪くない場合には、上記音声速度は、１分間に約１００語から約１５０語を音声出力する範囲のうちいずれかの速度（例えば、１分間に約１００語を音声出力する速度）を基準として１５０％になる。これにより、学習者の上達レベルや学力に合致させた学習設定が可能になり、学習効率を高めることができる。なお、第２ステップの再学習では、上記と同様にして、第２ステップの一文の音声出力が実行されて、テストが開始され、次の音声出力の速度が選択される（Ｓ１３０からＳ１６０）。
【００８６】
このように、第２ステップのテストに合格した場合（Ｓ１５０：ＹＥＳ）には、第３ステップに進んで学習することができ、第２ステップのテストで不合格になった場合（Ｓ１５０：ＮＯ）には、第２ステップを再度学習することになる。
【００８７】
リスニング工程の第２ステップのテストに合格した場合（Ｓ１５０：ＹＥＳ）に、第３ステップが開始される。
【００８８】
第３ステップでは、第２音声データに基づく音声出力が音声出力部２２により実行される（Ｓ１７０）。リスニング工程の第３ステップでは、第１言語（英語）のみからなる一文の一文節とその翻訳である第２言語（日本語）のみからなる一文の一文節（第１言語（英語）からなる一文の一文節の日本語訳に相当するもの）とを組み合わせて完成させた一文が音声出力される。リスニング工程における第３ステップの一文は、Ｓ１６０において音声速度選択部２０で選択された速度（第２音声データ）に基づいて、音声出力される。具体的には、一文の音声速度は、Ｓ１６０において音声速度選択部２０で選択された速度、すなわち、１分間に約１００語から約１５０語を音声出力する範囲のうちいずれかの速度（例えば、１分間に約１００語を音声出力する速度）を基準として、その２００％から５００％の範囲（１分間に約２００語から約７５０語を音声出力する範囲）のうちの所定の速度である。なお、音声出力部２２により、音声出力の音程が一定（第１ステップの音声出力の音程と同程度）に維持されている。
【００８９】
第３ステップの音声出力の実行後、第３ステップのテストがテスト実行部１４により実行される（Ｓ１８０）。このテストでは、テスト実行部１４から聴解内容把握問題(Listening comprehension)、ボキャブラリー問題、グラマー問題などが出題される。問題の出題方法は、外国語学習装置１０に組み込まれ、あるいは付随する液晶表示部に表示され、必要に応じてスピーカから音声出力される。これに対して、学習者は、問題の解答を解答入力部１６から入力する。解答入力部１６から解答が入力された場合には、合否が合否基準データに基づいて合否判定部１８により判定される。そして、合否判定部１８により合格と判定された場合（Ｓ１９０：ＹＥＳ）には、第３ステップのテストの結果（スコア）を考慮して、第４ステップで音声出力される第１言語（英語）のみからなる一文の音声速度が音声速度選択部２０により選択される（Ｓ２００）。具体的には、第４ステップにおける第１言語（英語）のみからなる一文の音声速度は、第３ステップのテストの結果（スコア）を考慮して、１分間に約１００語から約１５０語を音声出力する範囲のうちいずれかの速度（例えば、１分間に約１００語を音声出力する速度）を基準として、その基準の２００％から５００％の範囲（１分間に約２００語から約７５０語を音声出力する範囲）のうちの所定の速度が選択される。当然ながら、合格したものの第３ステップのテストの結果（スコア）が悪い場合には、上記音声速度は、１分間に約１００語から約１５０語を音声出力する範囲のうちいずれかの速度（例えば、１分間に約１００語を音声出力する速度）を基準として２００％になる。一方、第３ステップのテストの結果（スコア）が良い場合には、上記音声速度は、１分間に約１００語から約１５０語を音声出力する範囲のうちいずれかの速度（例えば、１分間に約１００語を音声出力する速度）を基準として５００％になる。これにより、学習者の上達レベルや学力に合致させた学習設定が可能になり、学習効率を高めることができる。
【００９０】
一方、合否判定部１８により不合格と判定された場合（Ｓ１９０：ＮＯ）には、第３ステップの再学習になるため、第３ステップで音声出力される第１言語（英語）のみからなる一文の一文節とその翻訳である第２言語（日本語）のみからなる一文の一文節（第１言語（英語）からなる一文の一文節の日本語訳に相当するもの）とを組み合わせて完成させた一文の音声速度が音声速度選択部２０により選択される（Ｓ１６０）。具体的には、第３ステップの一文の音声速度は、第３ステップのテストの結果（スコア）を考慮して、１分間に約１００語から約１５０語を音声出力する範囲のうちいずれかの速度（例えば、１分間に約１００語を音声出力する速度）を基準として、その基準の１５０％から３００％の範囲（１分間に約１５０語から約４５０語を音声出力する範囲）のうちの所定の速度が選択される。当然ながら、第３ステップのテストに不合格した場合で、かつ結果も著しく悪い場合には、１分間に約１００語から約１５０語を音声出力する範囲のうちいずれかの速度（例えば、１分間に約１００語を音声出力する速度）を基準として１５０％になる。一方、第３ステップのテストに不合格になったものの結果（スコア）が著しく悪くない場合には、上記音声速度は、１分間に約１００語から約１５０語を音声出力する範囲のうちいずれかの速度（例えば、１分間に約１００語を音声出力する速度）を基準として３００％になる。これにより、学習者の上達レベルや学力に合致させた学習設定が可能になり、学習効率を高めることができる。なお、第３ステップの再学習では、上記と同様にして、第３ステップの一文の音声出力が実行されて、テストが開始され、次の音声出力の速度が選択される（Ｓ１７０からＳ２００）。
【００９１】
なお、第３ステップのテストの結果（スコア）は、第４ステップのテストの結果（スコア）に合算されるため、記憶部１２に記憶される。
【００９２】
このように、第３ステップのテストで合格した場合（Ｓ１９０：ＹＥＳ）には、第４ステップに進んで学習することができ、第３ステップのテストで不合格になった場合（Ｓ１９０：ＮＯ）には、第３ステップを再度学習することになる。
【００９３】
リスニング工程の第３ステップのテストに合格した場合（Ｓ１９０：ＹＥＳ）に、第４ステップが開始される。
【００９４】
第４ステップでは、第１音声データに基づく音声出力が音声出力部２２により実行される（Ｓ２１０）。リスニング工程の第４ステップでは、第１言語（英語）のみからなる一文が音声出力される。リスニング工程における第４ステップの一文は、Ｓ２００において音声速度選択部２０で選択された速度（第１音声データ）に基づいて、音声出力される。具体的には、一文の音声速度は、Ｓ２００において音声速度選択部２０で選択された速度、すなわち、１分間に約１００語から約１５０語を音声出力する範囲のうちいずれかの速度（例えば、１分間に約１００語を音声出力する速度）を基準として、その２００％から５００％の範囲（１分間に約２００語から約７５０語を音声出力する範囲）のうちの所定の速度である。なお、音声出力部２２により、音声出力の音程が一定（第１ステップの音声出力の音程と同程度）に維持されている。
【００９５】
第４ステップの音声出力の実行後、第４ステップのテストがテスト実行部１４により実行される（Ｓ２２０）。このテストでは、テスト実行部１４から聴解内容把握問題(Listening comprehension)、ボキャブラリー問題、グラマー問題などが出題される。問題の出題方法は、外国語学習装置１０に組み込まれ、あるいは付随する液晶表示部に表示され、必要に応じてスピーカから音声出力される。これに対して、学習者は、問題の解答を解答入力部１６から入力する。解答入力部１６から解答が入力された場合には、合否が合否基準データに基づいて合否判定部１８により判定される。
【００９６】
ここで、第４ステップの合否判定方法は、記憶部１２に記憶されている第３ステップのテストの結果（スコア）と第４ステップのテストの結果（スコア）とが合算された合算スコアが合否基準データを超えているか否かで判断される。そして、合否判定部１８により合格と判定された場合（Ｓ２３０：ＹＥＳ）には、第５ステップで音声出力される第１言語（英語）のみからなる一文の音声速度が音声速度選択部２０により選択される（Ｓ２４０）。具体的には、第５ステップにおける第１言語（英語）のみからなる一文の音声速度は、第４ステップのテストの結果（スコア）を考慮して、１分間に約１００語から約１５０語を音声出力する範囲のうちいずれかの速度（例えば、１分間に約１００語を音声出力する速度）が選択される。
【００９７】
一方、合否判定部１８により不合格と判定された場合（Ｓ２３０：ＮＯ）には、既に実行した第３ステップ及び第４ステップのテストの結果を考慮して、第３ステップの再学習を行うか、あるいは第４ステップの再学習を行うかが合否判定部１８により決定される。具体的には、第４ステップのテストの結果に不合格であり、かつテストの結果が著しく悪い場合には、第３ステップの再学習が合否判定部１８により決定され、第４ステップのテストの結果に不合格であるものの、テストの結果が著しく悪くない場合には、第４ステップの再学習が合否判定部１８により決定される。そして、第３ステップの再学習になる場合には、第３ステップで音声出力される第１言語（英語）のみからなる一文の一文節とその翻訳である第２言語（日本語）のみからなる一文の一文節（第１言語（英語）からなる一文の一文節の日本語訳に相当するもの）とを組み合わせて完成させた一文の音声速度が音声速度選択部２０により選択される（Ｓ１６０）。一方、第４ステップの再学習になる場合には、第４ステップで音声出力される第１言語（英語）のみからなる一文の音声速度が音声速度選択部２０により選択される（Ｓ２００）。
【００９８】
この選択工程においても、第３ステップ及び第４ステップの一文の音声速度は、第３ステップ及び第４ステップのテストの結果（スコア）を考慮して、１分間に約１００語から約１５０語を音声出力する範囲のうちいずれかの速度（例えば、１分間に約１００語を音声出力する速度）を基準として、その基準の１５０％から３００％の範囲（１分間に約１５０語から約４５０語を音声出力する範囲）のうちの所定の速度が選択される。当然ながら、第４ステップのテストに不合格した場合で、かつ結果も著しく悪い場合には、第３ステップの再学習が決定され、かつ１分間に約１００語から約１５０語を音声出力する範囲のうちいずれかの速度（例えば、１分間に約１００語を音声出力する速度）を基準として１５０％になる。ここで、第３ステップの再学習における音声出力の速度は、既に実行した第３ステップ及び第４ステップのテストの結果が考慮されて、上記基準の１５０％から３００％の範囲の中から選択される。一方、第４ステップのテストに不合格になったものの結果（スコア）が著しく悪くない場合には、第４ステップの再学習が決定され、かつ上記音声速度は、１分間に約１００語から約１５０語を音声出力する範囲のうちいずれかの速度（例えば、１分間に約１００語を音声出力する速度）を基準として３００％になる。ここで、第４ステップの再学習における音声出力の速度は、既に実行した第３ステップ及び第４ステップのテストの結果が考慮されて、上記基準の１５０％から３００％の範囲の中から選択される。これにより、学習者の上達レベルや学力に合致させた学習設定が可能になり、学習効率を高めることができる。なお、第３ステップの再学習では、上記と同様にして、第３ステップの一文の音声出力が実行されて、テストが開始され、次の音声出力の速度が選択される（Ｓ１７０からＳ２００）。また、第４ステップの再学習では、上記と同様にして、第４ステップの一文の音声出力が実行されて、テストが開始され、次の音声出力の速度が選択される（Ｓ２１０からＳ２４０）。
【００９９】
このように、第４ステップのテストに合格した場合（Ｓ２３０：ＹＥＳ）には、第５ステップに進んで学習することができ、第４ステップのテストで不合格になった場合（Ｓ２３０：ＮＯ）には、第３ステップ又は第４ステップのいずれかを再度学習することになる。
【０１００】
リスニング工程の第４ステップのテストに合格した場合（Ｓ２３０：ＹＥＳ）に、第５ステップが開始される。
【０１０１】
第５ステップでは、第１音声データに基づく音声出力が音声出力部２２により実行される（Ｓ２５０）。リスニング工程の第５ステップでは、英文が音声出力される。リスニング工程における第５ステップの英文は、Ｓ２４０において音声速度選択部２０で選択された速度、すなわち、１分間に約１００語から約１５０語を音声出力する範囲のうちいずれか複数の速度のうち、所定の速度（例えば、１分間に約１００語を音声出力する速度）で音声出力される。なお、音声出力部２２により、音声出力の音程が一定（第１ステップの音声出力の音程と同程度）に維持されている。
【０１０２】
第５ステップの音声出力の実行後、テストがテスト実行部１４により実行される（Ｓ２６０）。このテストでは、テスト実行部１４から聴解内容把握問題(Listening comprehension)、ボキャブラリー問題、グラマー問題などが出題される。問題の出題方法は、外国語学習装置１０に組み込まれ、あるいは付随する液晶表示部に表示され、必要に応じてスピーカから音声出力される。これに対して、学習者は、問題の解答を解答入力部１６から入力する。解答入力部１６から解答が入力された場合には、合否が合否基準データに基づいて合否判定部１８により判定される。そして、合否判定部１８により合格と判定された場合（Ｓ２７０：ＹＥＳ）には、この単元の合格者となり、この単元の学習（すなわち、この単元の第１音声データ及び第２音声データによる音声出力）が終了する（Ｓ２８０）。
【０１０３】
一方、合否判定部１８により不合格と判定された場合（Ｓ２７０：ＮＯ）には、第１ステップに戻ってこの単元を再度、始めから学習する。この場合には、Ｓ１００以降の各工程を経て外国語学習方法が進行する。なお、Ｓ１００以降の各工程の内容については、上述した通りであるため、説明を省略する。
【０１０４】
次に、スピーキング工程について説明する。
図３に示すように、先ず、第１ステップが開始される。
第１ステップでは、第１音声データに基づく音声出力が音声出力部２２により実行される（Ｓ３００）。スピーキング工程の第１ステップでは、和文が音声出力される。スピーキング工程における第１ステップの和文は、１分間に約１００語から約１５０語を音声出力する範囲のうちいずれか複数の速度のうち、ノーマルの速度（例えば、１分間に約１００語を音声出力する速度）で音声出力される。
【０１０５】
第１ステップの音声出力の実行後、第１ステップのテストがテスト実行部１４により実行される（Ｓ３１０）。このテストでは、和文の英訳が問われる。学習者は、上記和文を英訳して作成した英文を解答入力部１６から入力する。この解答入力部１６として、音声認識装置や音声認識プログラムが採用される。そして、和文が音声出力された後、テストの実行時間が経過して、和文の英訳となる英文が音声出力部２２により音声出力される。この英文は、和文と共に第１音声データとして、予め記憶部１２に記憶されている。学習者は、この英文の音声を聴くことにより、自分が発話した英文が正確か否かを判断することができる。さらに、解答入力部１６から英文が入力された場合には、学習者が発話した英文が第１ステップで音声出力された和文の英訳（正解）と一致するか否かがテスト実行部１４により判断される。この判断は、第１ステップで音声出力された和文の英訳（正解）が予め記憶部１２に記憶されており、学習者が発話した英文と第１ステップで音声出力された和文の英訳（正解）とが一致するか否かで判断される。学習者が発話した英文が第１ステップで音声出力された和文の英訳（正解）と一致しない場合には、学習者が発話した英文が類似の解答と一致するか否かがテスト実行部１４により判断される。この結果により、学習者の上達レベルが把握される。なお、テストの正解となる英文や類似の解答となる英文は、予め、記憶部１２に記憶されている。
【０１０６】
そして、第１ステップのテストの結果（スコア）を考慮して、第２ステップで音声出力される第１言語（日本語）のみからなる一文の一文節とその翻訳となる第２言語（英語）のみからなる一文の一文節（第１言語（日本語）からなる一文の一文節の英訳に相当するもの）とを組み合わせて完成させた一文の音声速度が音声速度選択部２０により選択される（Ｓ３２０）。なお、上述した通り、第１言語（日本語）のみからなる一文の一文節とその翻訳となる第２言語（英語）のみからなる一文の一文節との間には、所定の休止時間（テストの実行時間）が設けられている。ここで、第１言語（日本語）のみからなる一文の一文節とその翻訳となる第２言語（英語）のみからなる一文の一文節（第１言語（日本語）からなる一文の一文節の英訳に相当するもの）とを組み合わせて完成させた一文の音声速度は、第１ステップのテストの結果（スコア）を考慮して、１分間に約１００語から約１５０語を音声出力する範囲のうちいずれかの速度（例えば、１分間に約１００語を音声出力する速度）を基準として、その基準の５０％から１５０％の範囲（１分間に約５０語から約２２５語を音声出力する範囲）のうちの所定の速度が選択される。当然ながら、第１ステップのテストの結果（スコア）が悪い場合には、上記音声速度は、１分間に約１００語から約１５０語を音声出力する範囲のうちいずれかの速度（例えば、１分間に約１００語を音声出力する速度）を基準として５０％になる。一方、第１ステップのテストの結果（スコア）が良い場合には、上記音声速度は、１分間に約１００語から約１５０語を音声出力する範囲のうちいずれかの速度（例えば、１分間に約１００語を音声出力する速度）を基準として１５０％になる。これにより、学習者の上達レベルや学力に合致させた学習設定が可能になり、学習効率を高めることができる。また、第２ステップにおいて、第１言語（日本語）のみからなる一文の一文節とその翻訳となる第２言語（英語）のみからなる一文の一文節との間に設けられている休止時間（テストの実行時間）の長短について、第１ステップのテストの結果（スコア）を考慮して調整してもよい。具体的には、第１ステップのテストの結果（スコア）が良い場合には、第２ステップの休止時間（テストの実行時間）が短くなり、第１ステップのテストの結果（スコア）が悪い場合には、第２ステップの休止時間（テストの実行時間）が長くなる。これにより、学習者の上達レベルや学力に対応させて、テストの実行時間を調整することができる。なお、第１ステップが終了すると、必ず、第２ステップに進む。
【０１０７】
次に、スピーキング工程の第２ステップが開始される。
第２ステップでは、第２音声データに基づく音声出力が音声出力部２２により実行される（Ｓ３３０）。スピーキング工程の第２ステップでは、第１言語（日本語）のみからなる一文の一文節とその翻訳となる第２言語（英語）のみからなる一文の一文節（第１言語（日本語）からなる一文の一文節の英訳に相当するもの）とを組み合わせて完成させた一文が音声出力される。スピーキング工程における第２ステップの一文は、Ｓ３２０において音声速度選択部２０で選択された速度（第２音声データ）に基づいて音声出力される。具体的には、一文の音声速度は、Ｓ３２０において音声速度選択部２０で選択された速度、すなわち、１分間に約１００語から約１５０語を音声出力する範囲のうちいずれかの速度（例えば、１分間に約１００語を音声出力する速度）を基準として、その５０％から１５０％の範囲（１分間に約５０語から約２２５語を音声出力する範囲）のうちの所定の速度である。なお、音声出力部２２により、音声出力の音程が一定（第１ステップの音声出力の音程と同程度）に維持されている。
【０１０８】
第２ステップの音声出力の途中に介在する休止時間に、第２ステップのテストがテスト実行部１４により実行される（Ｓ３４０）。このテストでは、第１言語（日本語）のみからなる一文の一文節の英訳が問われる。学習者は、自身で考えた英文を解答入力部１６から入力する。この解答入力部１６として、音声認識装置や音声認識プログラムが採用される。所定の休止時間（テストの実行時間）が経過すると、第１言語（日本語）のみからなる一文の一文節の翻訳（正解）となる第２言語（英語）のみからなる一文の一文節が音声出力される。このように、第１言語（日本語）のみからなる一文の一文節の音声出力→テストの実行→翻訳（正解）となる第２言語（英語）のみからなる一文の一文節の音声出力が１つのユニットを構成し、一文を構成する複数のユニットについて実行される。例えば、一文が５つの上記ユニットで構成されている場合には、それぞれのユニットについて、第１言語（日本語）のみからなる一文の一文節の音声出力→テストの実行→翻訳（正解）となる第２言語（英語）のみからなる一文の一文節の音声出力が５回連続して実行される。
【０１０９】
第２ステップのそれぞれのテストにおいて解答入力部１６から解答が入力された場合には、合否が合否基準データに基づいて合否判定部１８により判定される。そして、第２ステップのそれぞれのテストの合計点や平均点を算出して基準点よりも高い場合に、合否判定部１８により合格と判定される。合格の場合（Ｓ３５０：ＹＥＳ）には、第２ステップのテストの結果（スコア）を考慮して、第３ステップで音声出力される第１言語（日本語）のみからなる一文の一文節とその翻訳となる第２言語（英語）のみからなる一文の一文節（第１言語（日本語）からなる一文の一文節の英訳に相当するもの）とを組み合わせて完成させた一文の音声速度が音声速度選択部２０により選択される（Ｓ３６０）。具体的には、第１言語（日本語）のみからなる一文の一文節と第２言語（英語）のみからなる一文の一文節（第１言語（日本語）からなる一文の一文節の英訳に相当するもの）とを組み合わせて完成させた一文の音声速度は、第２ステップのテストの結果（スコア）を考慮して、１分間に約１００語から約１５０語を音声出力する範囲のうちいずれかの速度（例えば、１分間に約１００語を音声出力する速度）を基準として、その基準の２００％から５００％の範囲（１分間に約２００語から約７５０語を音声出力する範囲）のうちの所定の速度が選択される。当然ながら、合格したものの第２ステップのテストの結果（スコア）が悪い場合には、上記音声速度は、１分間に約１００語から約１５０語を音声出力する範囲のうちいずれかの速度（例えば、１分間に約１００語を音声出力する速度）を基準として２００％になる。一方、第２ステップのテストの結果（スコア）が良い場合には、上記音声速度は、１分間に約１００語から約１５０語を音声出力する範囲のうちいずれかの速度（例えば、１分間に約１００語を音声出力する速度）を基準として５００％になる。これにより、学習者の上達レベルや学力に合致させた学習設定が可能になり、学習効率を高めることができる。また、第３ステップにおいて、第１言語（日本語）のみからなる一文の一文節とその翻訳となる第２言語（英語）のみからなる一文の一文節との間に設けられている休止時間（テストの実行時間）の長短について、第２ステップのテストの結果（スコア）を考慮して調整してもよい。具体的には、第２ステップのテストの結果（スコア）が良い場合には、第３ステップの休止時間（テストの実行時間）が短くなり、第２ステップのテストの結果（スコア）が悪い場合には、第３ステップの休止時間（テストの実行時間）が長くなる。これにより、学習者の上達レベルや学力に対応させて、テストの実行時間を調整することができる。
【０１１０】
一方、第２ステップのそれぞれのテストの合計点や平均点を算出して基準点よりも低い場合に、合否判定部１８により不合格と判定される。不合格の場合（Ｓ３５０：ＮＯ）には、第２ステップの再学習になるため、第２ステップで音声出力される第１言語（日本語）のみからなる一文の一文節とその翻訳となる第２言語（英語）のみからなる一文の一文節（第１言語（日本語）からなる一文の一文節の英訳に相当するもの）とを組み合わせて完成させた一文の音声速度が音声速度選択部２０により選択される（Ｓ３２０）。具体的には、合否判定部１８により不合格と判定された場合（Ｓ３５０：ＮＯ）に、第２ステップの一文の音声速度は、第２ステップのテストの結果（スコア）を考慮して、１分間に約１００語から約１５０語を音声出力する範囲のうちいずれかの速度（例えば、１分間に約１００語を音声出力する速度）を基準として、その基準の５０％から１５０％の範囲（１分間に約５０語から約２２５語を音声出力する範囲）のうちの所定の速度である。当然ながら、第２ステップのテストに不合格した場合で、かつ結果も著しく悪い場合には、１分間に約１００語から約１５０語を音声出力する範囲のうちいずれかの速度（例えば、１分間に約１００語を音声出力する速度）を基準として５０％になる。一方、第２ステップのテストに不合格になったものの結果（スコア）が著しく悪くない場合には、上記音声速度は、１分間に約１００語から約１５０語を音声出力する範囲のうちいずれかの速度（例えば、１分間に約１００語を音声出力する速度）を基準として１５０％になる。これにより、学習者の上達レベルや学力に合致させた学習設定が可能になり、学習効率を高めることができる。また、再学習となる第２ステップにおいて、第１言語（日本語）のみからなる一文の一文節とその翻訳となる第２言語（英語）のみからなる一文の一文節との間に設けられている休止時間（テストの実行時間）の長短について、第１ステップのテストの結果（スコア）を考慮して調整してもよい。具体的には、第２ステップのテストの結果（スコア）が比較的良い場合には、再学習となる第２ステップの休止時間（テストの実行時間）が短くなり、第２ステップのテストの結果（スコア）が比較的悪い場合には、再学習となる第２ステップの休止時間（テストの実行時間）が長くなる。これにより、学習者の上達レベルや学力に対応させて、テストの実行時間を調整することができる。なお、第２ステップの再学習では、第２ステップの一文の音声出力とテストが実行され、次の音声出力の速度が選択される（Ｓ３３０からＳ３６０）。
【０１１１】
このように、第２ステップのテストで合格した場合（Ｓ３５０：ＹＥＳ）には、第３ステップに進んで学習することができ、第２ステップのテストで不合格になった場合（Ｓ３５０：ＮＯ）には、第２ステップを再度学習することになる。
【０１１２】
スピーキング工程の第２ステップに合格した場合（Ｓ３５０：ＹＥＳ）に、第３ステップが開始される。
【０１１３】
第３ステップでは、第２音声データに基づく音声出力が音声出力部２２により実行される（Ｓ３７０）。スピーキング工程の第３ステップでは、第１言語（日本語）のみからなる一文の一文節とその翻訳となる第２言語（英語）のみからなる一文の一文節（第１言語（日本語）からなる一文の一文節の英訳に相当するもの）とを組み合わせて完成させた一文が音声出力される。スピーキング工程における第３ステップの一文は、Ｓ３６０において音声速度選択部２０で選択された速度（第２音声データ）に基づいて音声出力される。具体的には、一文の音声速度は、Ｓ３６０において音声速度選択部２０で選択された速度、すなわち、１分間に約１００語から約１５０語を音声出力する範囲のうちいずれかの速度（例えば、１分間に約１００語を音声出力する速度）を基準として、その２００％から５００％の範囲（１分間に約２００語から約７５０語を音声出力する範囲）のうちの所定の速度である。なお、音声出力部２２により、音声出力の音程が一定（第１ステップの音声出力の音程と同程度）に維持されている。
【０１１４】
第３ステップの音声出力の途中に介在する休止時間に、第３ステップのテストがテスト実行部１４により実行される（Ｓ３８０）。このテストでは、第１言語（日本語）のみからなる一文の一文節の英訳が問われる。学習者は、自身で考えた英文を解答入力部１６から入力する。この解答入力部１６として、音声認識装置や音声認識プログラムが採用される。所定の休止時間（テストの実行時間）が経過すると、第１言語（日本語）のみからなる一文の一文節の翻訳（正解）となる第２言語（英語）のみからなる一文の一文節が音声出力される。このように、第１言語（日本語）のみからなる一文の一文節の音声出力→テストの実行→翻訳（正解）となる第２言語（英語）のみからなる一文の一文節の音声出力が１つのユニットを構成し、一文を構成する複数のユニットについて実行される。例えば、一文が５つの上記ユニットで構成されている場合には、それぞれのユニットについて、第１言語（日本語）のみからなる一文の一文節の音声出力→テストの実行→翻訳（正解）となる第２言語（英語）のみからなる一文の一文節の音声出力が５回連続して実行される。
【０１１５】
第３ステップのそれぞれのテストにおいて解答入力部１６から解答が入力された場合には、合否が合否基準データに基づいて合否判定部１８により判定される。そして、第３ステップのそれぞれのテストの合計点や平均点を算出して基準点よりも高い場合に、合否判定部１８により合格と判定される。合格の場合（Ｓ３９０：ＹＥＳ）には、第３ステップのテストの結果（スコア）を考慮して、第４ステップで音声出力される第１言語（日本語）のみからなる一文の音声速度が音声速度選択部２０により選択される（Ｓ４００）。具体的には、スピーキング工程の第４ステップでは、和文が音声出力される。スピーキング工程における第４ステップの和文は、１分間に約１００語から約１５０語を音声出力する範囲のうちいずれか複数の速度のうち、ノーマルの速度（例えば、１分間に約１００語を音声出力する速度）で音声出力される。また、第４ステップにおいて、第１言語（日本語）のみからなる一文の音声出力後に続く休止時間（テストの実行時間）の長短について、第３ステップのテストの結果（スコア）を考慮して調整してもよい。具体的には、第３ステップのテストの結果（スコア）が良い場合には、第４ステップの休止時間（テストの実行時間）が短くなり、第３ステップのテストの結果（スコア）が悪い場合には、第４ステップの休止時間（テストの実行時間）が長くなる。これにより、学習者の上達レベルや学力に対応させて、テストの実行時間を調整することができる。
【０１１６】
一方、第３ステップのそれぞれのテストの合計点や平均点を算出して基準点よりも低い場合に、合否判定部１８により不合格と判定される。不合格の場合（Ｓ３９０：ＮＯ）には、第３ステップの再学習になるため、第３ステップで音声出力される第１言語（日本語）のみからなる一文の一文節とその翻訳となる第２言語（英語）のみからなる一文の一文節（第１言語（日本語）からなる一文の一文節の英訳に相当するもの）とを組み合わせて完成させた一文の音声速度が音声速度選択部２０により選択される（Ｓ３６０）。具体的には、合否判定部１８により不合格と判定された場合（Ｓ３９０：ＮＯ）に、再学習となる第３ステップの一文の音声速度は、第３ステップのテストの結果（スコア）を考慮して、１分間に約１００語から約１５０語を音声出力する範囲のうちいずれかの速度（例えば、１分間に約１００語を音声出力する速度）を基準として、その基準の２００％から５００％の範囲（１分間に約２００語から約７５０語を音声出力する範囲）のうちの所定の速度である。当然ながら、第３ステップのテストに不合格した場合で、かつ結果も著しく悪い場合には、上記音声速度は、１分間に約１００語から約１５０語を音声出力する範囲のうちいずれかの速度（例えば、１分間に約１００語を音声出力する速度）を基準として２００％になる。一方、第３ステップのテストに不合格になったものの結果（スコア）が著しく悪くない場合には、上記音声速度は、１分間に約１００語から約１５０語を音声出力する範囲のうちいずれかの速度（例えば、１分間に約１００語を音声出力する速度）を基準として５００％になる。これにより、学習者の上達レベルや学力に合致させた学習設定が可能になり、学習効率を高めることができる。また、再学習となる第３ステップでは、第１言語（日本語）のみからなる一文の一文節とその翻訳となる第２言語（英語）のみからなる一文の一文節との間に設けられている休止時間（テストの実行時間）の長短について、第３ステップのテストの結果（スコア）を考慮して調整してもよい。具体的には、第３ステップのテストの結果（スコア）が比較的良い場合には、再学習となる第３ステップの休止時間（テストの実行時間）が短くなり、第３ステップのテストの結果（スコア）が比較的悪い場合には、再学習となる第３ステップの休止時間（テストの実行時間）が長くなる。これにより、学習者の上達レベルや学力に対応させて、テストの実行時間を調整することができる。なお、第３ステップの再学習では、第３ステップの一文の音声出力とテストが実行され、次の音声出力の速度が選択される（Ｓ３７０からＳ４００）。
【０１１７】
このように、第３ステップのテストで合格した場合（Ｓ３９０：ＹＥＳ）には、第４ステップに進んで学習することができ、第３ステップのテストで不合格になった場合（Ｓ３９０：ＮＯ）には、第３ステップを再度学習することになる。
【０１１８】
スピーキング工程の第３ステップに合格した場合（Ｓ３９０：ＹＥＳ）に、第４ステップが開始される。
【０１１９】
第４ステップでは、第１音声データに基づく音声出力が音声出力部２２により実行される（Ｓ４１０）。スピーキング工程の第４ステップでは、和文が音声出力される。スピーキング工程における第４ステップの和文は、１分間に約１００語から約１５０語を音声出力する範囲のうちいずれか複数の速度のうち、ノーマルの速度（例えば、１分間に約１００語を音声出力する速度）で音声出力される。
【０１２０】
第４ステップの音声出力の実行後、第４ステップのテストがテスト実行部１４により実行される（Ｓ４２０）。このテストでは、和文の英訳が問われる。学習者は、上記和文を英訳して作成した英文を解答入力部１６から入力する。この解答入力部１６として、音声認識装置や音声認識プログラムが採用される。そして、和文が音声出力された後、テストの実行時間が経過して、和文の英訳となる英文が音声出力部２２により音声出力される。この英文は、和文と共に第１音声データとして、予め記憶部１２に記憶されている。学習者は、この英文の音声を聴くことにより、自分が発話した英文が正確か否かを判断することができる。さらに、解答入力部１６から英文が入力された場合には、学習者が発話した英文が第４ステップで音声出力された和文の英訳（正解）と一致するか否かがテスト実行部１４により判断される。この判断は、第４ステップで音声出力された和文の英訳（正解）が予め記憶部１２に記憶されており、学習者が発話した英文と第４ステップで音声出力された和文の英訳（正解）とが一致するか否かで判断される。学習者が発話した英文が第４ステップで音声出力された和文の英訳（正解）と一致しない場合には、学習者が発話した英文が類似の解答と一致するか否かがテスト実行部１４により判断される。この結果により、学習者の上達レベルが把握される。なお、テストの正解となる英文や類似の解答となる英文は、予め、記憶部１２に記憶されている。
【０１２１】
学習者により解答入力部１６から解答が入力された場合には、合否が合否基準データに基づいて合否判定部１８により判定される。そして、第４ステップのテストの点数（スコア）が基準点よりも高い場合に、合否判定部１８により合格と判定される。合否判定部１８により合格と判定された場合（Ｓ４３０：ＹＥＳ）には、この単元の合格者となり、この単元の学習が終了する（Ｓ４４０）。
【０１２２】
一方、第４ステップのテストの点数（スコア）が基準点よりも低い場合に、合否判定部１８により不合格と判定される。合否判定部１８により不合格と判定された場合（Ｓ４３０：ＮＯ）には、第１ステップに戻ってこの単元を再度、始めから学習する。この場合には、Ｓ３００以降の各工程を経て外国語学習方法が進行する。なお、Ｓ３００以降の各工程の内容については、上述してきた通りである。
【０１２３】
以上のように、本実施形態に係る外国語学習装置及び外国語学習方法によれば、学習者の高い学習意欲を維持しながら、各学習者の外国語の上達レベルに合致（対応）した学習を行い、学習効率を格段に高めることができる。
【０１２４】
以下、本実施形態に係る外国語学習装置及び外国語学習方法の特徴について詳細に説明する。
【０１２５】
先ず、加速して音声出力された英語を学習者が必死で聞き取ろうとすることにより、学習者の集中力と情報処理能力を高めることができるため、学習者の脳の記憶効率を高めることができる。
【０１２６】
学習者が加速した速度で英語を聞き取る訓練をした後で、通常（ノーマル）の速度で聞いてみると、非常に良く聞き取ることができる。すなわち、英語の聞き取りの速度を通常の速度よりも約１７０パーセント（〜２００パーセント）に設定することにより、学習者は、通常の速度（１００パーセント）の英語を簡単に聞くことができる。
【０１２７】
学習者が英語を理解する上において、その文の先頭、すなわち、文頭をしっかりと把握し、覚えておくことが大変重要になる。この文頭の部分には、英語を理解する上でとても大切な主語や動詞、疑問詞、また、その文が肯定文であったか、疑問文であったか、否定文であったかなどの大切な情報が入っている。また、英語を話す人は、文頭に結論を持ってくることが圧倒的に多い。これに対して、日本人のように、文末に結論をもってくる言語習慣が深く身についている学習者は、英文を遅く読んでいると、文頭にある大切な情報を忘れてしまう。実は、遅く読んで（または聞いて）いなくても、多くの日本人は、この文頭を確実に覚えることができない。ここのような現状のもとで、本実施形態の外国語学習装置で学習することにより、学習者は、文頭の大切な情報を忘れることがなく、また、かかる情報に枝葉の情報を付け加えていくことができる。
【０１２８】
ここで、加速した英語のリスニングを行うことにより生じる技術的な問題点について説明する。
【０１２９】
（問題点１）
通常は、英語を加速して音声出力すると、英語の音程が上がってしまうために、大変聞き取りづらくなる。実際には、音程の高さと「キュルキュル」という雑音のために、速度を上げれば上げるほど、英語の聞き取りがだんだんと難しくなる。
【０１３０】
（問題点２）
その一方で、日本人にとっては、英語をノーマルの速度で聞き取って理解することでさえ難しいのに、英語のニュースなどのように、加速された状態の英語を聞き取り、その意味をとることは、非常に難しい。
【０１３１】
（問題点３）
また、英語の速度が高まれば、liaisonやsound contraction、いわゆる、重なって聞こえる音を聞き取ることがいっそう困難となる。
【０１３２】
上記問題に対して、本実施形態は、以下のように解決している。
【０１３３】
（問題点１を解決できる根拠説明）
音程の維持については、ＤＰＣ（Digital Pitch Controller）を使用することにより、音声出力の速度を加速又は減速しても、音程（Tone， Pitch）をノーマルの速度と同じ高さに保つことができる。これにより、音声出力される英語の音声が聞きづらい（音程が上がって聞きづらいとか、雑音による障害）という問題を解消できる。
【０１３４】
（問題点２を解決できる根拠説明）
英語の理解力については、英語を文節ごとに分け、そこに文節ごとに、翻訳を挿入していくことにより、英語を英語の語順で直接理解していくことができる。従来のように、英語を１文ごとに訳して理解していく方法は、日本語の語順に英語を直していく必要があるため、音声出力の速度が上がるほど英語を理解することは難しくなる。これに対して、学習者が本実施形態の外国語学習装置１０を使うことにより、英語の順序で英語を理解することになるため、音声出力の速度を上げていくことによって英語の理解が困難になるということを防止できる。また、学習者の英語の理解力は、本実施形態の外国語学習装置１０で訓練することにより、大幅に高めていくことができる。
【０１３５】
（問題点３を解決できる根拠説明）
本実施形態の外国語学習装置１０を用いて、学習者が英語を文節ごとにとらえていく方法で理解することにより、英語の複数の単語が重なって聞こえる音を明確に分けて聞き取ることができる。
【０１３６】
なお、本実施形態の外国語学習装置１０は、例えば、テレビなどの通信装置を利用して行うゲーム機器として実施することができる。また、外国語学習装置１０は、テレビを利用しないゲーム機単体としても実施することができる。また、外国語学習装置１０は、例えば、インターネット接続が可能な端末装置（パーソナルコンピュータ）としても実施することができる。
【符号の説明】
【０１３７】
１０      外国語学習装置
１２      記憶部
１４      テスト実行部
１６      解答入力部
１８      合否判定部
２０      音声速度選択部
２２      音声出力部
【図１】
2010140258.tif 000003
【図２】
2010140258.tif 000004
【図３】
2010140258.tif 000005
【手続補正書】
【提出日】平成23年4月4日(2011.4.4)
【手続補正１】
【補正対象書類名】特許請求の範囲
【補正対象項目名】全文
【補正方法】変更
【補正の内容】
【特許請求の範囲】
【請求項１】
学習者の語学力を判別し、当該学習者の語学力に合致した学習を提供する外国語学習装置であって、
第１言語のみで構成された一文の音声出力を複数の異なる速度で実行するための複数の第１音声データと、前記第１言語の一文を構成する一要素と前記第１言語の一文を構成する一要素の翻訳となる第２言語の一要素とを交互に組み合わせて構成された一文の音声出力を複数の異なる速度で実行するための複数の第２音声データと、を記憶する記憶部と、
テストを実行するテスト実行部と、
前記テスト実行部で実行されたテストに対する学習者の解答を入力する解答入力部と、
前記解答入力部に入力された解答の結果を考慮して、前記記憶部に記憶された前記第１音声データ又は前記第２音声データの速度のうち、学習者の語学力に合致した速度を選択する音声速度選択部と、
音声出力が高速又は低速になった場合でも音程を一定に維持する機能を有し、前記音声速度選択部で選択された速度で、かつ音程を一定に維持した状態で前記第１音声データ又は前記第２音声データに基づく音声出力を実行する音声出力部と、
を有する外国語学習装置。
【請求項２】
前記記憶部には、前記テストの合否基準データが記憶されており、
前記解答入力部に入力された解答の結果と前記合否基準データとに基づいて合否を判定する合否判定部を有し、
前記テスト実行部は、前記第１音声データに基づく音声出力の実行後にテストを実行し、
前記音声速度選択部は、前記テストにおいて前記解答入力部で入力された解答の結果と前記合否基準データとに基づいて前記合否判定部により合格であると判定された場合に、前記テストの実行後に実行する前記第１音声データに基づく音声出力の速度を選択し、
前記音声出力部は、前記テストの実行後に、前記音声速度選択部で選択された速度で、前記第１音声データに基づく音声出力を実行する請求項１に記載の外国語学習装置。
【請求項３】
前記記憶部には、前記テストの合否基準データが記憶されており、
前記解答入力部に入力された解答の結果と前記合否基準データとに基づいて合否を判定する合否判定部を有し、
前記テスト実行部は、前記第２音声データに基づく音声出力の途中又は実行後にテストを実行し、
前記音声速度選択部は、前記テストにおいて前記解答入力部で入力された解答の結果と前記合否基準データとに基づいて前記合否判定部により合格であると判定された場合に、前記テストの実行後に実行する前記第１音声データに基づく音声出力の速度を選択し、
前記音声出力部は、前記テストの実行後に、前記音声速度選択部で選択された速度で、前記第１音声データに基づく音声出力を実行する請求項１に記載の外国語学習装置。
【請求項４】
前記記憶部には、前記テストの合否基準データが記憶されており、
前記解答入力部に入力された解答の結果と前記合否基準データとに基づいて合否を判定する合否判定部を有し、
前記テスト実行部は、前記第２音声データに基づく音声出力の途中又は実行後にテストを実行し、
前記音声速度選択部は、前記テストにおいて前記解答入力部で入力された解答の結果と前記合否基準データとに基づいて前記合否判定部により合格であると判定された場合に、前記テストの実行後に実行する前記第２音声データに基づく音声出力の速度を選択し、
前記音声出力部は、前記テストの実行後に、前記音声速度選択部で選択された速度で、前記第２音声データに基づく音声出力を実行する請求項１に記載の外国語学習装置。
【請求項５】
前記記憶部には、前記テストの合否基準データが記憶されており、
前記解答入力部に入力された解答の結果と前記合否基準データとに基づいて合否を判定する合否判定部を有し、
前記テスト実行部は、前記第１音声データに基づく音声出力の実行後にテストを実行し、
前記音声速度選択部は、前記テストにおいて前記解答入力部で入力された解答の結果と前記合否基準データとに基づいて前記合否判定部により不合格であると判定された場合に、前記テストの実行前に実行した前記第１音声データ又は前記第２音声データに基づく音声出力の速度を選択し、
前記音声出力部は、前記テストの実行後に、前記音声速度選択部で選択された速度で、前記テストの実行前に実行した前記第１音声データ又は前記第２音声データに基づく音声出力を再度実行する請求項１に記載の外国語学習装置。
【請求項６】
前記記憶部には、前記テストの合否基準データが記憶されており、
前記解答入力部に入力された解答の結果と前記合否基準データとに基づいて合否を判定する合否判定部を有し、
前記テスト実行部は、前記第２音声データに基づく音声出力の途中又は実行後にテストを実行し、
前記音声速度選択部は、前記テストにおいて前記解答入力部で入力された解答の結果と前記合否基準データとに基づいて前記合否判定部により不合格であると判定された場合に、前記テストの実行前に実行した前記第２音声データに基づく音声出力の速度を選択し、
前記音声出力部は、前記テストの実行後に、前記音声速度選択部で選択された速度で、前記テストの実行前に実行した前記第２音声データに基づく音声出力を再度実行する請求項１に記載の外国語学習装置。
【請求項７】
前記記憶部には、前記テストの合否基準データが記憶されており、
前記解答入力部に入力された解答の結果と前記合否基準データとに基づいて合否を判定する合否判定部を有し、
前記テスト実行部は、第１ステップにおいて前記第１音声データに基づく音声出力の実行後にテストを実行し、第２ステップにおいて前記第２音声データに基づく音声出力の実行後にテストを実行し、第３ステップにおいて前記第２音声データに基づく音声出力の実行後にテストを実行し、第４ステップにおいて前記第１音声データに基づく音声出力の実行後にテストを実行し、第５ステップにおいて前記第１音声データに基づく音声出力の実行後にテストを実行し、
前記音声速度選択部は、前記第１ステップの前記テストにおいて前記解答入力部で入力された解答の結果を考慮して前記第１ステップの前記テストの実行後に実行する前記第２ステップの前記第２音声データに基づく音声出力の速度を選択し、
前記第２ステップの前記テストにおいて前記解答入力部で入力された解答の結果と前記合否基準データとに基づいて合格であると前記合否判定部により判定された場合に、前記第２ステップの前記テストの実行後に実行する前記第３ステップの前記第２音声データに基づく音声出力の速度を選択し、あるいは前記第２ステップの前記テストにおいて前記解答入力部で入力された解答の結果と前記合否基準データとに基づいて不合格であると前記合否判定部により判定された場合に、前記第２ステップの前記テストの実行後に再度実行する前記第２ステップの前記第２音声データに基づく音声出力の速度を選択し、
前記第３ステップの前記テストにおいて前記解答入力部で入力された解答の結果と前記合否基準データとに基づいて合格であると前記合否判定部により判定された場合に、前記第３ステップの前記テストの実行後に実行する前記第４ステップの前記第１音声データに基づく音声出力の速度を選択し、あるいは前記第３ステップの前記テストにおいて前記解答入力部で入力された解答の結果と前記合否基準データとに基づいて不合格であると前記合否判定部により判定された場合に、前記第３ステップの前記テストの実行後に再度実行する前記第３ステップの前記第２音声データに基づく音声出力の速度を選択し、
前記第４ステップの前記テストにおいて前記解答入力部で入力された解答の結果と前記合否基準データとに基づいて合格であると前記合否判定部により判定された場合に、前記第４ステップの前記テストの実行後に実行する前記第５ステップの前記第１音声データに基づく音声出力の速度を選択し、あるいは前記第４ステップの前記テストにおいて前記解答入力部で入力された解答の結果と前記合否基準データとに基づいて不合格であると前記合否判定部により判定された場合に、前記第４ステップの前記テストの実行後に再度実行する前記第３ステップの前記第２音声データ又は前記第４ステップの前記第１音声データのいずれかに基づく音声出力の速度を選択し、
前記音声出力部は、前記第１ステップにおいて前記第１音声データに基づく音声出力を実行し、
前記第２ステップにおいて前記第２音声データに基づく音声出力を前記音声速度選択部により選択された速度で実行し、
前記第２ステップの前記テストにおいて前記解答入力部で入力された解答の結果と前記合否基準データとに基づいて合格であると前記合否判定部により判定された場合に、前記第３ステップにおいて前記第２音声データに基づく音声出力を前記音声速度選択部により選択された速度で実行し、あるいは前記第２ステップの前記テストにおいて前記解答入力部で入力された解答の結果と前記合否基準データとに基づいて不合格であると前記合否判定部により判定された場合に、前記第２ステップにおいて前記第２音声データに基づく音声出力を前記音声速度選択部により選択された速度で再度実行し、
前記第３ステップの前記テストにおいて前記解答入力部で入力された解答の結果と前記合否基準データとに基づいて合格であると前記合否判定部により判定された場合に、前記第４ステップにおいて前記第１音声データに基づく音声出力を前記音声速度選択部により選択された速度で実行し、あるいは前記第３ステップの前記テストにおいて前記解答入力部で入力された解答の結果と前記合否基準データとに基づいて不合格であると前記合否判定部により判定された場合に、前記第３ステップにおいて前記第２音声データに基づく音声出力を前記音声速度選択部により選択された速度で再度実行し、
前記第４ステップの前記テストにおいて前記解答入力部で入力された解答の結果と前記合否基準データとに基づいて合格であると前記合否判定部により判定された場合に、前記第５ステップにおいて前記第１音声データに基づく音声出力を前記音声速度選択部により選択された速度で実行し、あるいは前記第４ステップの前記テストにおいて前記解答入力部で入力された解答の結果と前記合否基準データとに基づいて不合格であると前記合否判定部により判定された場合に、前記第３ステップにおいて前記第２音声データ又は前記第４ステップにおいて前記第１音声データのいずれかに基づく音声出力を前記音声速度選択部により選択された速度で再度実行し、
前記第５ステップの前記テストにおいて前記解答入力部で入力された解答の結果と前記合否基準データとに基づいて合格であると前記合否判定部により判定された場合に、前記第１音声データ又は前記第２音声データに基づく音声出力を終了し、あるいは前記第５ステップの前記テストにおいて前記解答入力部で入力された解答の結果と前記合否基準データとに基づいて不合格であると前記合否判定部により判定された場合に、前記第１ステップにおいて前記第１音声データに基づく音声出力を再度実行する請求項１に記載の外国語学習装置。
【請求項８】
前記記憶部には、前記テストの合否基準データが記憶されており、
前記解答入力部に入力された解答の結果と前記合否基準データとに基づいて合否を判定する合否判定部を有し、
前記テスト実行部は、第１ステップにおいて前記第１音声データに基づく音声出力の実行後にテストを実行し、第２ステップにおいて前記第２音声データに基づく音声出力の途中にテストを実行し、第３ステップにおいて前記第２音声データに基づく音声出力の途中にテストを実行し、第４ステップにおいて前記第１音声データに基づく音声出力の実行後にテストを実行し、
前記音声速度選択部は、前記第１ステップの前記テストにおいて前記解答入力部で入力された解答の結果を考慮して前記テストの実行後に実行する前記第２ステップの前記第２音声データに基づく音声出力の速度を選択し、
前記第２ステップの前記テストにおいて前記解答入力部で入力された解答の結果と前記合否基準データとに基づいて合格であると前記合否判定部により判定された場合に、前記第２ステップの前記テストの実行後に実行する前記第３ステップの前記第２音声データに基づく音声出力の速度を選択し、あるいは前記第２ステップの前記テストにおいて前記解答入力部で入力された解答の結果と前記合否基準データとに基づいて不合格であると前記合否判定部により判定された場合に、前記第２ステップの前記テストの実行後に再度実行する前記第２ステップの前記第２音声データに基づく音声出力の速度を選択し、
前記第３ステップの前記テストにおいて前記解答入力部で入力された解答の結果と前記合否基準データとに基づいて合格であると前記合否判定部により判定された場合に、前記第３ステップの前記テストの実行後に実行する前記第４ステップの前記第１音声データに基づく音声出力の速度を選択し、あるいは前記第３ステップの前記テストにおいて前記解答入力部で入力された解答の結果と前記合否基準データとに基づいて不合格であると前記合否判定部により判定された場合に、前記第３ステップの前記テストの実行後に再度実行する前記第３ステップの前記第２音声データに基づく音声出力の速度を選択し、
前記音声出力部は、前記第１ステップにおいて前記第１音声データに基づく音声出力を実行し、
前記第２ステップにおいて前記第２音声データに基づく音声出力を前記音声速度選択部により選択された速度で実行し、
前記第２ステップの前記テストにおいて前記解答入力部で入力された解答の結果と前記合否基準データとに基づいて合格であると前記合否判定部により判定された場合に、前記第３ステップにおいて前記第２音声データに基づく音声出力を前記音声速度選択部により選択された速度で実行し、あるいは前記第２ステップの前記テストにおいて前記解答入力部で入力された解答の結果と前記合否基準データとに基づいて不合格であると前記合否判定部により判定された場合に、前記第２ステップにおいて前記第２音声データに基づく音声出力を前記音声速度選択部により選択された速度で再度実行し、
前記第３ステップの前記テストにおいて前記解答入力部で入力された解答の結果と前記合否基準データとに基づいて合格であると前記合否判定部により判定された場合に、前記第４ステップにおいて前記第１音声データに基づく音声出力を前記音声速度選択部により選択された速度で実行し、あるいは前記第３ステップの前記テストにおいて前記解答入力部で入力された解答の結果と前記合否基準データとに基づいて不合格であると前記合否判定部により判定された場合に、前記第３ステップにおいて前記第２音声データに基づく音声出力を前記音声速度選択部により選択された速度で再度実行し、
前記第４ステップの前記テストにおいて前記解答入力部で入力された解答の結果と前記合否基準データとに基づいて合格であると前記合否判定部により判定された場合に、前記第１音声データ又は第２音声データに基づく音声出力を終了し、あるいは前記第４ステップの前記テストにおいて前記解答入力部で入力された解答の結果と前記合否基準データとに基づいて不合格であると前記合否判定部により判定された場合に、前記第１ステップにおいて前記第１音声データに基づく音声出力を再度実行する請求項１に記載の外国語学習装置。
【手続補正２】
【補正対象書類名】明細書
【補正対象項目名】００１５
【補正方法】変更
【補正の内容】
【００１５】
本発明は、学習者の語学力を判別し、当該学習者の語学力に合致した学習を提供する外国語学習装置であって、第１言語のみで構成された一文の音声出力を複数の異なる速度で実行するための複数の第１音声データと、前記第１言語の一文を構成する一要素と前記第１言語の一文を構成する一要素の翻訳となる第２言語の一要素とを交互に組み合わせて構成された一文の音声出力を複数の異なる速度で実行するための複数の第２音声データと、を記憶する記憶部と、テストを実行するテスト実行部と、前記テスト実行部で実行されたテストに対する学習者の解答を入力する解答入力部と、前記解答入力部に入力された解答の結果を考慮して、前記記憶部に記憶された前記第１音声データ又は前記第２音声データの速度のうち、学習者の語学力に合致した速度を選択する音声速度選択部と、音声出力が高速又は低速になった場合でも音程を一定に維持する機能を有し、前記音声速度選択部で選択された速度で、かつ音程を一定に維持した状態で前記第１音声データ又は前記第２音声データに基づく音声出力を実行する音声出力部と、を有する。
【手続補正３】
【補正対象書類名】明細書
【補正対象項目名】００１７
【補正方法】変更
【補正の内容】
【００１７】
また、本発明は、前記記憶部には、前記テストの合否基準データが記憶されており、前記解答入力部に入力された解答の結果と前記合否基準データとに基づいて合否を判定する合否判定部を有し、前記テスト実行部は、前記第１音声データに基づく音声出力の実行後にテストを実行し、前記音声速度選択部は、前記テストにおいて前記解答入力部で入力された解答の結果と前記合否基準データとに基づいて前記合否判定部により合格であると判定された場合に、前記テストの実行後に実行する前記第１音声データに基づく音声出力の速度を選択し、前記音声出力部は、前記テストの実行後に、前記音声速度選択部で選択された速度で、前記第１音声データに基づく音声出力を実行することが好ましい。
【手続補正４】
【補正対象書類名】明細書
【補正対象項目名】００１９
【補正方法】変更
【補正の内容】
【００１９】
本発明は、前記記憶部には、前記テストの合否基準データが記憶されており、前記解答入力部に入力された解答の結果と前記合否基準データとに基づいて合否を判定する合否判定部を有し、前記テスト実行部は、前記第２音声データに基づく音声出力の途中又は実行後にテストを実行し、前記音声速度選択部は、前記テストにおいて前記解答入力部で入力された解答の結果と前記合否基準データとに基づいて前記合否判定部により合格であると判定された場合に、前記テストの実行後に実行する前記第１音声データに基づく音声出力の速度を選択し、前記音声出力部は、前記テストの実行後に、前記音声速度選択部で選択された速度で、前記第１音声データに基づく音声出力を実行することが好ましい。
【手続補正５】
【補正対象書類名】明細書
【補正対象項目名】００２１
【補正方法】変更
【補正の内容】
【００２１】
本発明は、前記記憶部には、前記テストの合否基準データが記憶されており、前記解答入力部に入力された解答の結果と前記合否基準データとに基づいて合否を判定する合否判定部を有し、前記テスト実行部は、前記第２音声データに基づく音声出力の途中又は実行後にテストを実行し、前記音声速度選択部は、前記テストにおいて前記解答入力部で入力された解答の結果と前記合否基準データとに基づいて前記合否判定部により合格であると判定された場合に、前記テストの実行後に実行する前記第２音声データに基づく音声出力の速度を選択し、前記音声出力部は、前記テストの実行後に、前記音声速度選択部で選択された速度で、前記第２音声データに基づく音声出力を実行することが好ましい。
【手続補正６】
【補正対象書類名】明細書
【補正対象項目名】００２３
【補正方法】変更
【補正の内容】
【００２３】
本発明は、前記記憶部には、前記テストの合否基準データが記憶されており、前記解答入力部に入力された解答の結果と前記合否基準データとに基づいて合否を判定する合否判定部を有し、前記テスト実行部は、前記第１音声データに基づく音声出力の実行後にテストを実行し、前記音声速度選択部は、前記テストにおいて前記解答入力部で入力された解答の結果と前記合否基準データとに基づいて前記合否判定部により不合格であると判定された場合に、前記テストの実行前に実行した前記第１音声データ又は前記第２音声データに基づく音声出力の速度を選択し、前記音声出力部は、前記テストの実行後に、前記音声速度選択部で選択された速度で、前記テストの実行前に実行した前記第１音声データ又は前記第２音声データに基づく音声出力を再度実行することが好ましい。
【手続補正７】
【補正対象書類名】明細書
【補正対象項目名】００２５
【補正方法】変更
【補正の内容】
【００２５】
本発明は、前記記憶部には、前記テストの合否基準データが記憶されており、前記解答入力部に入力された解答の結果と前記合否基準データとに基づいて合否を判定する合否判定部を有し、前記テスト実行部は、前記第２音声データに基づく音声出力の途中又は実行後にテストを実行し、前記音声速度選択部は、前記テストにおいて前記解答入力部で入力された解答の結果と前記合否基準データとに基づいて前記合否判定部により不合格であると判定された場合に、前記テストの実行前に実行した前記第２音声データに基づく音声出力の速度を選択し、前記音声出力部は、前記テストの実行後に、前記音声速度選択部で選択された速度で、前記テストの実行前に実行した前記第２音声データに基づく音声出力を再度実行することが好ましい。
【手続補正８】
【補正対象書類名】明細書
【補正対象項目名】００２７
【補正方法】変更
【補正の内容】
【００２７】
本発明は、前記記憶部には、前記テストの合否基準データが記憶されており、前記解答入力部に入力された解答の結果と前記合否基準データとに基づいて合否を判定する合否判定部を有し、前記テスト実行部は、第１ステップにおいて前記第１音声データに基づく音声出力の実行後にテストを実行し、第２ステップにおいて前記第２音声データに基づく音声出力の実行後にテストを実行し、第３ステップにおいて前記第２音声データに基づく音声出力の実行後にテストを実行し、第４ステップにおいて前記第１音声データに基づく音声出力の実行後にテストを実行し、第５ステップにおいて前記第１音声データに基づく音声出力の実行後にテストを実行し、前記音声速度選択部は、前記第１ステップの前記テストにおいて前記解答入力部で入力された解答の結果を考慮して前記第１ステップの前記テストの実行後に実行する前記第２ステップの前記第２音声データに基づく音声出力の速度を選択し、前記第２ステップの前記テストにおいて前記解答入力部で入力された解答の結果と前記合否基準データとに基づいて合格であると前記合否判定部により判定された場合に、前記第２ステップの前記テストの実行後に実行する前記第３ステップの前記第２音声データに基づく音声出力の速度を選択し、あるいは前記第２ステップの前記テストにおいて前記解答入力部で入力された解答の結果と前記合否基準データとに基づいて不合格であると前記合否判定部により判定された場合に、前記第２ステップの前記テストの実行後に再度実行する前記第２ステップの前記第２音声データに基づく音声出力の速度を選択し、前記第３ステップの前記テストにおいて前記解答入力部で入力された解答の結果と前記合否基準データとに基づいて合格であると前記合否判定部により判定された場合に、前記第３ステップの前記テストの実行後に実行する前記第４ステップの前記第１音声データに基づく音声出力の速度を選択し、あるいは前記第３ステップの前記テストにおいて前記解答入力部で入力された解答の結果と前記合否基準データとに基づいて不合格であると前記合否判定部により判定された場合に、前記第３ステップの前記テストの実行後に再度実行する前記第３ステップの前記第２音声データに基づく音声出力の速度を選択し、前記第４ステップの前記テストにおいて前記解答入力部で入力された解答の結果と前記合否基準データとに基づいて合格であると前記合否判定部により判定された場合に、前記第４ステップの前記テストの実行後に実行する前記第５ステップの前記第１音声データに基づく音声出力の速度を選択し、あるいは前記第４ステップの前記テストにおいて前記解答入力部で入力された解答の結果と前記合否基準データとに基づいて不合格であると前記合否判定部により判定された場合に、前記第４ステップの前記テストの実行後に再度実行する前記第３ステップの前記第２音声データ又は前記第４ステップの前記第１音声データのいずれかに基づく音声出力の速度を選択し、前記音声出力部は、前記第１ステップにおいて前記第１音声データに基づく音声出力を実行し、前記第２ステップにおいて前記第２音声データに基づく音声出力を前記音声速度選択部により選択された速度で実行し、前記第２ステップの前記テストにおいて前記解答入力部で入力された解答の結果と前記合否基準データとに基づいて合格であると前記合否判定部により判定された場合に、前記第３ステップにおいて前記第２音声データに基づく音声出力を前記音声速度選択部により選択された速度で実行し、あるいは前記第２ステップの前記テストにおいて前記解答入力部で入力された解答の結果と前記合否基準データとに基づいて不合格であると前記合否判定部により判定された場合に、前記第２ステップにおいて前記第２音声データに基づく音声出力を前記音声速度選択部により選択された速度で再度実行し、前記第３ステップの前記テストにおいて前記解答入力部で入力された解答の結果と前記合否基準データとに基づいて合格であると前記合否判定部により判定された場合に、前記第４ステップにおいて前記第１音声データに基づく音声出力を前記音声速度選択部により選択された速度で実行し、あるいは前記第３ステップの前記テストにおいて前記解答入力部で入力された解答の結果と前記合否基準データとに基づいて不合格であると前記合否判定部により判定された場合に、前記第３ステップにおいて前記第２音声データに基づく音声出力を前記音声速度選択部により選択された速度で再度実行し、前記第４ステップの前記テストにおいて前記解答入力部で入力された解答の結果と前記合否基準データとに基づいて合格であると前記合否判定部により判定された場合に、前記第５ステップにおいて前記第１音声データに基づく音声出力を前記音声速度選択部により選択された速度で実行し、あるいは前記第４ステップの前記テストにおいて前記解答入力部で入力された解答の結果と前記合否基準データとに基づいて不合格であると前記合否判定部により判定された場合に、前記第３ステップにおいて前記第２音声データ又は前記第４ステップにおいて前記第１音声データのいずれかに基づく音声出力を前記音声速度選択部により選択された速度で再度実行し、前記第５ステップの前記テストにおいて前記解答入力部で入力された解答の結果と前記合否基準データとに基づいて合格であると前記合否判定部により判定された場合に、前記第１音声データ又は前記第２音声データに基づく音声出力を終了し、あるいは前記第５ステップの前記テストにおいて前記解答入力部で入力された解答の結果と前記合否基準データとに基づいて不合格であると前記合否判定部により判定された場合に、前記第１ステップにおいて前記第１音声データに基づく音声出力を再度実行することが好ましい。
【手続補正９】
【補正対象書類名】明細書
【補正対象項目名】００２９
【補正方法】変更
【補正の内容】
【００２９】
本発明は、前記記憶部には、前記テストの合否基準データが記憶されており、前記解答入力部に入力された解答の結果と前記合否基準データとに基づいて合否を判定する合否判定部を有し、前記テスト実行部は、第１ステップにおいて前記第１音声データに基づく音声出力の実行後にテストを実行し、第２ステップにおいて前記第２音声データに基づく音声出力の途中にテストを実行し、第３ステップにおいて前記第２音声データに基づく音声出力の途中にテストを実行し、第４ステップにおいて前記第１音声データに基づく音声出力の実行後にテストを実行し、前記音声速度選択部は、前記第１ステップの前記テストにおいて前記解答入力部で入力された解答の結果を考慮して前記テストの実行後に実行する前記第２ステップの前記第２音声データに基づく音声出力の速度を選択し、前記第２ステップの前記テストにおいて前記解答入力部で入力された解答の結果と前記合否基準データとに基づいて合格であると前記合否判定部により判定された場合に、前記第２ステップの前記テストの実行後に実行する前記第３ステップの前記第２音声データに基づく音声出力の速度を選択し、あるいは前記第２ステップの前記テストにおいて前記解答入力部で入力された解答の結果と前記合否基準データとに基づいて不合格であると前記合否判定部により判定された場合に、前記第２ステップの前記テストの実行後に再度実行する前記第２ステップの前記第２音声データに基づく音声出力の速度を選択し、前記第３ステップの前記テストにおいて前記解答入力部で入力された解答の結果と前記合否基準データとに基づいて合格であると前記合否判定部により判定された場合に、前記第３ステップの前記テストの実行後に実行する前記第４ステップの前記第１音声データに基づく音声出力の速度を選択し、あるいは前記第３ステップの前記テストにおいて前記解答入力部で入力された解答の結果と前記合否基準データとに基づいて不合格であると前記合否判定部により判定された場合に、前記第３ステップの前記テストの実行後に再度実行する前記第３ステップの前記第２音声データに基づく音声出力の速度を選択し、前記音声出力部は、前記第１ステップにおいて前記第１音声データに基づく音声出力を実行し、前記第２ステップにおいて前記第２音声データに基づく音声出力を前記音声速度選択部により選択された速度で実行し、前記第２ステップの前記テストにおいて前記解答入力部で入力された解答の結果と前記合否基準データとに基づいて合格であると前記合否判定部により判定された場合に、前記第３ステップにおいて前記第２音声データに基づく音声出力を前記音声速度選択部により選択された速度で実行し、あるいは前記第２ステップの前記テストにおいて前記解答入力部で入力された解答の結果と前記合否基準データとに基づいて不合格であると前記合否判定部により判定された場合に、前記第２ステップにおいて前記第２音声データに基づく音声出力を前記音声速度選択部により選択された速度で再度実行し、前記第３ステップの前記テストにおいて前記解答入力部で入力された解答の結果と前記合否基準データとに基づいて合格であると前記合否判定部により判定された場合に、前記第４ステップにおいて前記第１音声データに基づく音声出力を前記音声速度選択部により選択された速度で実行し、あるいは前記第３ステップの前記テストにおいて前記解答入力部で入力された解答の結果と前記合否基準データとに基づいて不合格であると前記合否判定部により判定された場合に、前記第３ステップにおいて前記第２音声データに基づく音声出力を前記音声速度選択部により選択された速度で再度実行し、前記第４ステップの前記テストにおいて前記解答入力部で入力された解答の結果と前記合否基準データとに基づいて合格であると前記合否判定部により判定された場合に、前記第１音声データ又は第２音声データに基づく音声出力を終了し、あるいは前記第４ステップの前記テストにおいて前記解答入力部で入力された解答の結果と前記合否基準データとに基づいて不合格であると前記合否判定部により判定された場合に、前記第１ステップにおいて前記第１音声データに基づく音声出力を再度実行することが好ましい。
【手続補正書】
【提出日】平成23年7月29日(2011.7.29)
【手続補正１】
【補正対象書類名】特許請求の範囲
【補正対象項目名】全文
【補正方法】変更
【補正の内容】
【特許請求の範囲】
【請求項１】
学習者の語学力を判別し、当該学習者の語学力に合致した学習を提供する外国語学習装置であって、
第１言語のみで構成された一文の音声出力を複数の異なる速度で実行するための複数の第１音声データと、前記第１言語の一文を構成する一要素と前記第１言語の一文を構成する一要素の翻訳となる第２言語の一要素とを交互に組み合わせて構成された一文の音声出力を複数の異なる速度で実行するための複数の第２音声データと、を記憶する記憶部と、
テストを実行するテスト実行部と、
前記テスト実行部で実行されたテストに対する学習者の解答を入力する解答入力部と、
前記解答入力部に入力された解答の結果を考慮して、前記記憶部に記憶された前記第１音声データ又は前記第２音声データの速度のうち、学習者の語学力に合致した速度を選択する音声速度選択部と、
音声出力が高速又は低速になった場合でも音程を一定に維持するＤＰＣ機能を有し、前記音声速度選択部で選択された速度で、かつ音程を一定に維持した状態で前記第１音声データ又は前記第２音声データに基づく音声出力を実行する音声出力部と、
を有し、
前記記憶部には、前記テストの合否基準データが記憶されており、
前記解答入力部に入力された解答の結果と前記合否基準データとに基づいて合否を判定する合否判定部を有し、
前記テスト実行部は、前記第１音声データに基づく音声出力の実行後にテストを実行し、
前記音声速度選択部は、前記テストにおいて前記解答入力部で入力された解答の結果と前記合否基準データとに基づいて前記合否判定部により合格であると判定された場合に、前記テストの実行後に実行する前記第１音声データに基づく音声出力の速度を選択し、
前記音声出力部は、前記テストの実行後に、前記音声速度選択部で選択された速度で、前記第１音声データに基づく音声出力を前記ＤＰＣ機能により音程を一定に維持した状態で実行する外国語学習装置。
【請求項２】
学習者の語学力を判別し、当該学習者の語学力に合致した学習を提供する外国語学習装置であって、
第１言語のみで構成された一文の音声出力を複数の異なる速度で実行するための複数の第１音声データと、前記第１言語の一文を構成する一要素と前記第１言語の一文を構成する一要素の翻訳となる第２言語の一要素とを交互に組み合わせて構成された一文の音声出力を複数の異なる速度で実行するための複数の第２音声データと、を記憶する記憶部と、
テストを実行するテスト実行部と、
前記テスト実行部で実行されたテストに対する学習者の解答を入力する解答入力部と、
前記解答入力部に入力された解答の結果を考慮して、前記記憶部に記憶された前記第１音声データ又は前記第２音声データの速度のうち、学習者の語学力に合致した速度を選択する音声速度選択部と、
音声出力が高速又は低速になった場合でも音程を一定に維持するＤＰＣ機能を有し、前記音声速度選択部で選択された速度で、かつ音程を一定に維持した状態で前記第１音声データ又は前記第２音声データに基づく音声出力を実行する音声出力部と、
を有し、
前記記憶部には、前記テストの合否基準データが記憶されており、
前記解答入力部に入力された解答の結果と前記合否基準データとに基づいて合否を判定する合否判定部を有し、
前記テスト実行部は、前記第２音声データに基づく音声出力の途中又は実行後にテストを実行し、
前記音声速度選択部は、前記テストにおいて前記解答入力部で入力された解答の結果と前記合否基準データとに基づいて前記合否判定部により合格であると判定された場合に、前記テストの実行後に実行する前記第１音声データに基づく音声出力の速度を選択し、
前記音声出力部は、前記テストの実行後に、前記音声速度選択部で選択された速度で、前記第１音声データに基づく音声出力を前記ＤＰＣ機能により音程を一定に維持した状態で実行する外国語学習装置。
【請求項３】
学習者の語学力を判別し、当該学習者の語学力に合致した学習を提供する外国語学習装置であって、
第１言語のみで構成された一文の音声出力を複数の異なる速度で実行するための複数の第１音声データと、前記第１言語の一文を構成する一要素と前記第１言語の一文を構成する一要素の翻訳となる第２言語の一要素とを交互に組み合わせて構成された一文の音声出力を複数の異なる速度で実行するための複数の第２音声データと、を記憶する記憶部と、
テストを実行するテスト実行部と、
前記テスト実行部で実行されたテストに対する学習者の解答を入力する解答入力部と、
前記解答入力部に入力された解答の結果を考慮して、前記記憶部に記憶された前記第１音声データ又は前記第２音声データの速度のうち、学習者の語学力に合致した速度を選択する音声速度選択部と、
音声出力が高速又は低速になった場合でも音程を一定に維持するＤＰＣ機能を有し、前記音声速度選択部で選択された速度で、かつ音程を一定に維持した状態で前記第１音声データ又は前記第２音声データに基づく音声出力を実行する音声出力部と、
を有し、
前記記憶部には、前記テストの合否基準データが記憶されており、
前記解答入力部に入力された解答の結果と前記合否基準データとに基づいて合否を判定する合否判定部を有し、
前記テスト実行部は、前記第２音声データに基づく音声出力の途中又は実行後にテストを実行し、
前記音声速度選択部は、前記テストにおいて前記解答入力部で入力された解答の結果と前記合否基準データとに基づいて前記合否判定部により合格であると判定された場合に、前記テストの実行後に実行する前記第２音声データに基づく音声出力の速度を選択し、
前記音声出力部は、前記テストの実行後に、前記音声速度選択部で選択された速度で、前記第２音声データに基づく音声出力を前記ＤＰＣ機能により音程を一定に維持した状態で実行する外国語学習装置。
【請求項４】
学習者の語学力を判別し、当該学習者の語学力に合致した学習を提供する外国語学習装置であって、
第１言語のみで構成された一文の音声出力を複数の異なる速度で実行するための複数の第１音声データと、前記第１言語の一文を構成する一要素と前記第１言語の一文を構成する一要素の翻訳となる第２言語の一要素とを交互に組み合わせて構成された一文の音声出力を複数の異なる速度で実行するための複数の第２音声データと、を記憶する記憶部と、
テストを実行するテスト実行部と、
前記テスト実行部で実行されたテストに対する学習者の解答を入力する解答入力部と、
前記解答入力部に入力された解答の結果を考慮して、前記記憶部に記憶された前記第１音声データ又は前記第２音声データの速度のうち、学習者の語学力に合致した速度を選択する音声速度選択部と、
音声出力が高速又は低速になった場合でも音程を一定に維持するＤＰＣ機能を有し、前記音声速度選択部で選択された速度で、かつ音程を一定に維持した状態で前記第１音声データ又は前記第２音声データに基づく音声出力を実行する音声出力部と、
を有し、
前記記憶部には、前記テストの合否基準データが記憶されており、
前記解答入力部に入力された解答の結果と前記合否基準データとに基づいて合否を判定する合否判定部を有し、
前記テスト実行部は、前記第１音声データに基づく音声出力の実行後にテストを実行し、
前記音声速度選択部は、前記テストにおいて前記解答入力部で入力された解答の結果と前記合否基準データとに基づいて前記合否判定部により不合格であると判定された場合に、前記テストの実行前に実行した前記第１音声データ又は前記第２音声データに基づく音声出力の速度を選択し、
前記音声出力部は、前記テストの実行後に、前記音声速度選択部で選択された速度で、前記テストの実行前に実行した前記第１音声データ又は前記第２音声データに基づく音声出力を前記ＤＰＣ機能により音程を一定に維持した状態で再度実行する外国語学習装置。
【請求項５】
学習者の語学力を判別し、当該学習者の語学力に合致した学習を提供する外国語学習装置であって、
第１言語のみで構成された一文の音声出力を複数の異なる速度で実行するための複数の第１音声データと、前記第１言語の一文を構成する一要素と前記第１言語の一文を構成する一要素の翻訳となる第２言語の一要素とを交互に組み合わせて構成された一文の音声出力を複数の異なる速度で実行するための複数の第２音声データと、を記憶する記憶部と、
テストを実行するテスト実行部と、
前記テスト実行部で実行されたテストに対する学習者の解答を入力する解答入力部と、
前記解答入力部に入力された解答の結果を考慮して、前記記憶部に記憶された前記第１音声データ又は前記第２音声データの速度のうち、学習者の語学力に合致した速度を選択する音声速度選択部と、
音声出力が高速又は低速になった場合でも音程を一定に維持するＤＰＣ機能を有し、前記音声速度選択部で選択された速度で、かつ音程を一定に維持した状態で前記第１音声データ又は前記第２音声データに基づく音声出力を実行する音声出力部と、
を有し、
前記記憶部には、前記テストの合否基準データが記憶されており、
前記解答入力部に入力された解答の結果と前記合否基準データとに基づいて合否を判定する合否判定部を有し、
前記テスト実行部は、前記第２音声データに基づく音声出力の途中又は実行後にテストを実行し、
前記音声速度選択部は、前記テストにおいて前記解答入力部で入力された解答の結果と前記合否基準データとに基づいて前記合否判定部により不合格であると判定された場合に、前記テストの実行前に実行した前記第２音声データに基づく音声出力の速度を選択し、
前記音声出力部は、前記テストの実行後に、前記音声速度選択部で選択された速度で、前記テストの実行前に実行した前記第２音声データに基づく音声出力を前記ＤＰＣ機能により音程を一定に維持した状態で再度実行する外国語学習装置。
【請求項６】
学習者の語学力を判別し、当該学習者の語学力に合致した学習を提供する外国語学習装置であって、
第１言語のみで構成された一文の音声出力を複数の異なる速度で実行するための複数の第１音声データと、前記第１言語の一文を構成する一要素と前記第１言語の一文を構成する一要素の翻訳となる第２言語の一要素とを交互に組み合わせて構成された一文の音声出力を複数の異なる速度で実行するための複数の第２音声データと、を記憶する記憶部と、
テストを実行するテスト実行部と、
前記テスト実行部で実行されたテストに対する学習者の解答を入力する解答入力部と、
前記解答入力部に入力された解答の結果を考慮して、前記記憶部に記憶された前記第１音声データ又は前記第２音声データの速度のうち、学習者の語学力に合致した速度を選択する音声速度選択部と、
音声出力が高速又は低速になった場合でも音程を一定に維持するＤＰＣ機能を有し、前記音声速度選択部で選択された速度で、かつ音程を一定に維持した状態で前記第１音声データ又は前記第２音声データに基づく音声出力を実行する音声出力部と、
を有し、
前記記憶部には、前記テストの合否基準データが記憶されており、
前記解答入力部に入力された解答の結果と前記合否基準データとに基づいて合否を判定する合否判定部を有し、
前記テスト実行部は、第１ステップにおいて前記第１音声データに基づく音声出力の実行後にテストを実行し、第２ステップにおいて前記第２音声データに基づく音声出力の実行後にテストを実行し、第３ステップにおいて前記第２音声データに基づく音声出力の実行後にテストを実行し、第４ステップにおいて前記第１音声データに基づく音声出力の実行後にテストを実行し、第５ステップにおいて前記第１音声データに基づく音声出力の実行後にテストを実行し、
前記音声速度選択部は、前記第１ステップの前記テストにおいて前記解答入力部で入力された解答の結果を考慮して前記第１ステップの前記テストの実行後に実行する前記第２ステップの前記第２音声データに基づく音声出力の速度を選択し、
前記第２ステップの前記テストにおいて前記解答入力部で入力された解答の結果と前記合否基準データとに基づいて合格であると前記合否判定部により判定された場合に、前記第２ステップの前記テストの実行後に実行する前記第３ステップの前記第２音声データに基づく音声出力の速度を選択し、あるいは前記第２ステップの前記テストにおいて前記解答入力部で入力された解答の結果と前記合否基準データとに基づいて不合格であると前記合否判定部により判定された場合に、前記第２ステップの前記テストの実行後に再度実行する前記第２ステップの前記第２音声データに基づく音声出力の速度を選択し、
前記第３ステップの前記テストにおいて前記解答入力部で入力された解答の結果と前記合否基準データとに基づいて合格であると前記合否判定部により判定された場合に、前記第３ステップの前記テストの実行後に実行する前記第４ステップの前記第１音声データに基づく音声出力の速度を選択し、あるいは前記第３ステップの前記テストにおいて前記解答入力部で入力された解答の結果と前記合否基準データとに基づいて不合格であると前記合否判定部により判定された場合に、前記第３ステップの前記テストの実行後に再度実行する前記第３ステップの前記第２音声データに基づく音声出力の速度を選択し、
前記第４ステップの前記テストにおいて前記解答入力部で入力された解答の結果と前記合否基準データとに基づいて合格であると前記合否判定部により判定された場合に、前記第４ステップの前記テストの実行後に実行する前記第５ステップの前記第１音声データに基づく音声出力の速度を選択し、あるいは前記第４ステップの前記テストにおいて前記解答入力部で入力された解答の結果と前記合否基準データとに基づいて不合格であると前記合否判定部により判定された場合に、前記第４ステップの前記テストの実行後に再度実行する前記第３ステップの前記第２音声データ又は前記第４ステップの前記第１音声データのいずれかに基づく音声出力の速度を選択し、
前記音声出力部は、前記第１ステップにおいて前記第１音声データに基づく音声出力を実行し、
前記第２ステップにおいて前記第２音声データに基づく音声出力を前記音声速度選択部により選択された速度でかつ前記ＤＰＣ機能により音程を一定に維持した状態で実行し、
前記第２ステップの前記テストにおいて前記解答入力部で入力された解答の結果と前記合否基準データとに基づいて合格であると前記合否判定部により判定された場合に、前記第３ステップにおいて前記第２音声データに基づく音声出力を前記音声速度選択部により選択された速度でかつ前記ＤＰＣ機能により音程を一定に維持した状態で実行し、あるいは前記第２ステップの前記テストにおいて前記解答入力部で入力された解答の結果と前記合否基準データとに基づいて不合格であると前記合否判定部により判定された場合に、前記第２ステップにおいて前記第２音声データに基づく音声出力を前記音声速度選択部により選択された速度でかつ前記ＤＰＣ機能により音程を一定に維持した状態で再度実行し、
前記第３ステップの前記テストにおいて前記解答入力部で入力された解答の結果と前記合否基準データとに基づいて合格であると前記合否判定部により判定された場合に、前記第４ステップにおいて前記第１音声データに基づく音声出力を前記音声速度選択部により選択された速度でかつ前記ＤＰＣ機能により音程を一定に維持した状態で実行し、あるいは前記第３ステップの前記テストにおいて前記解答入力部で入力された解答の結果と前記合否基準データとに基づいて不合格であると前記合否判定部により判定された場合に、前記第３ステップにおいて前記第２音声データに基づく音声出力を前記音声速度選択部により選択された速度でかつ前記ＤＰＣ機能により音程を一定に維持した状態で再度実行し、
前記第４ステップの前記テストにおいて前記解答入力部で入力された解答の結果と前記合否基準データとに基づいて合格であると前記合否判定部により判定された場合に、前記第５ステップにおいて前記第１音声データに基づく音声出力を前記音声速度選択部により選択された速度でかつ前記ＤＰＣ機能により音程を一定に維持した状態で実行し、あるいは前記第４ステップの前記テストにおいて前記解答入力部で入力された解答の結果と前記合否基準データとに基づいて不合格であると前記合否判定部により判定された場合に、前記第３ステップにおいて前記第２音声データ又は前記第４ステップにおいて前記第１音声データのいずれかに基づく音声出力を前記音声速度選択部により選択された速度でかつ前記ＤＰＣ機能により音程を一定に維持した状態で再度実行し、
前記第５ステップの前記テストにおいて前記解答入力部で入力された解答の結果と前記合否基準データとに基づいて合格であると前記合否判定部により判定された場合に、前記第１音声データ又は前記第２音声データに基づく音声出力を終了し、あるいは前記第５ステップの前記テストにおいて前記解答入力部で入力された解答の結果と前記合否基準データとに基づいて不合格であると前記合否判定部により判定された場合に、前記第１ステップにおいて前記第１音声データに基づく音声出力を再度実行する外国語学習装置。
【請求項７】
学習者の語学力を判別し、当該学習者の語学力に合致した学習を提供する外国語学習装置であって、
第１言語のみで構成された一文の音声出力を複数の異なる速度で実行するための複数の第１音声データと、前記第１言語の一文を構成する一要素と前記第１言語の一文を構成する一要素の翻訳となる第２言語の一要素とを交互に組み合わせて構成された一文の音声出力を複数の異なる速度で実行するための複数の第２音声データと、を記憶する記憶部と、
テストを実行するテスト実行部と、
前記テスト実行部で実行されたテストに対する学習者の解答を入力する解答入力部と、
前記解答入力部に入力された解答の結果を考慮して、前記記憶部に記憶された前記第１音声データ又は前記第２音声データの速度のうち、学習者の語学力に合致した速度を選択する音声速度選択部と、
音声出力が高速又は低速になった場合でも音程を一定に維持するＤＰＣ機能を有し、前記音声速度選択部で選択された速度で、かつ音程を一定に維持した状態で前記第１音声データ又は前記第２音声データに基づく音声出力を実行する音声出力部と、
を有し、
前記記憶部には、前記テストの合否基準データが記憶されており、
前記解答入力部に入力された解答の結果と前記合否基準データとに基づいて合否を判定する合否判定部を有し、
前記テスト実行部は、第１ステップにおいて前記第１音声データに基づく音声出力の実行後にテストを実行し、第２ステップにおいて前記第２音声データに基づく音声出力の途中にテストを実行し、第３ステップにおいて前記第２音声データに基づく音声出力の途中にテストを実行し、第４ステップにおいて前記第１音声データに基づく音声出力の実行後にテストを実行し、
前記音声速度選択部は、前記第１ステップの前記テストにおいて前記解答入力部で入力された解答の結果を考慮して前記テストの実行後に実行する前記第２ステップの前記第２音声データに基づく音声出力の速度を選択し、
前記第２ステップの前記テストにおいて前記解答入力部で入力された解答の結果と前記合否基準データとに基づいて合格であると前記合否判定部により判定された場合に、前記第２ステップの前記テストの実行後に実行する前記第３ステップの前記第２音声データに基づく音声出力の速度を選択し、あるいは前記第２ステップの前記テストにおいて前記解答入力部で入力された解答の結果と前記合否基準データとに基づいて不合格であると前記合否判定部により判定された場合に、前記第２ステップの前記テストの実行後に再度実行する前記第２ステップの前記第２音声データに基づく音声出力の速度を選択し、
前記第３ステップの前記テストにおいて前記解答入力部で入力された解答の結果と前記合否基準データとに基づいて合格であると前記合否判定部により判定された場合に、前記第３ステップの前記テストの実行後に実行する前記第４ステップの前記第１音声データに基づく音声出力の速度を選択し、あるいは前記第３ステップの前記テストにおいて前記解答入力部で入力された解答の結果と前記合否基準データとに基づいて不合格であると前記合否判定部により判定された場合に、前記第３ステップの前記テストの実行後に再度実行する前記第３ステップの前記第２音声データに基づく音声出力の速度を選択し、
前記音声出力部は、前記第１ステップにおいて前記第１音声データに基づく音声出力を実行し、
前記第２ステップにおいて前記第２音声データに基づく音声出力を前記音声速度選択部により選択された速度でかつ前記ＤＰＣ機能により音程を一定に維持した状態で実行し、
前記第２ステップの前記テストにおいて前記解答入力部で入力された解答の結果と前記合否基準データとに基づいて合格であると前記合否判定部により判定された場合に、前記第３ステップにおいて前記第２音声データに基づく音声出力を前記音声速度選択部により選択された速度でかつ前記ＤＰＣ機能により音程を一定に維持した状態で実行し、あるいは前記第２ステップの前記テストにおいて前記解答入力部で入力された解答の結果と前記合否基準データとに基づいて不合格であると前記合否判定部により判定された場合に、前記第２ステップにおいて前記第２音声データに基づく音声出力を前記音声速度選択部により選択された速度でかつ前記ＤＰＣ機能により音程を一定に維持した状態で再度実行し、
前記第３ステップの前記テストにおいて前記解答入力部で入力された解答の結果と前記合否基準データとに基づいて合格であると前記合否判定部により判定された場合に、前記第４ステップにおいて前記第１音声データに基づく音声出力を前記音声速度選択部により選択された速度でかつ前記ＤＰＣ機能により音程を一定に維持した状態で実行し、あるいは前記第３ステップの前記テストにおいて前記解答入力部で入力された解答の結果と前記合否基準データとに基づいて不合格であると前記合否判定部により判定された場合に、前記第３ステップにおいて前記第２音声データに基づく音声出力を前記音声速度選択部により選択された速度でかつ前記ＤＰＣ機能により音程を一定に維持した状態で再度実行し、
前記第４ステップの前記テストにおいて前記解答入力部で入力された解答の結果と前記合否基準データとに基づいて合格であると前記合否判定部により判定された場合に、前記第１音声データ又は第２音声データに基づく音声出力を終了し、あるいは前記第４ステップの前記テストにおいて前記解答入力部で入力された解答の結果と前記合否基準データとに基づいて不合格であると前記合否判定部により判定された場合に、前記第１ステップにおいて前記第１音声データに基づく音声出力を再度実行する外国語学習装置。
【手続補正２】
【補正対象書類名】明細書
【補正対象項目名】００１５
【補正方法】変更
【補正の内容】
【００１５】
本発明は、学習者の語学力を判別し、当該学習者の語学力に合致した学習を提供する外国語学習装置であって、第１言語のみで構成された一文の音声出力を複数の異なる速度で実行するための複数の第１音声データと、前記第１言語の一文を構成する一要素と前記第１言語の一文を構成する一要素の翻訳となる第２言語の一要素とを交互に組み合わせて構成された一文の音声出力を複数の異なる速度で実行するための複数の第２音声データと、を記憶する記憶部と、テストを実行するテスト実行部と、前記テスト実行部で実行されたテストに対する学習者の解答を入力する解答入力部と、前記解答入力部に入力された解答の結果を考慮して、前記記憶部に記憶された前記第１音声データ又は前記第２音声データの速度のうち、学習者の語学力に合致した速度を選択する音声速度選択部と、音声出力が高速又は低速になった場合でも音程を一定に維持するＤＰＣ機能を有し、前記音声速度選択部で選択された速度で、かつ音程を一定に維持した状態で前記第１音声データ又は前記第２音声データに基づく音声出力を実行する音声出力部と、を有する。
【手続補正３】
【補正対象書類名】明細書
【補正対象項目名】００１７
【補正方法】変更
【補正の内容】
【００１７】
また、本発明は、前記記憶部には、前記テストの合否基準データが記憶されており、前記解答入力部に入力された解答の結果と前記合否基準データとに基づいて合否を判定する合否判定部を有し、前記テスト実行部は、前記第１音声データに基づく音声出力の実行後にテストを実行し、前記音声速度選択部は、前記テストにおいて前記解答入力部で入力された解答の結果と前記合否基準データとに基づいて前記合否判定部により合格であると判定された場合に、前記テストの実行後に実行する前記第１音声データに基づく音声出力の速度を選択し、前記音声出力部は、前記テストの実行後に、前記音声速度選択部で選択された速度で、前記第１音声データに基づく音声出力を前記ＤＰＣ機能により音程を一定に維持した状態で実行することが好ましい。
【手続補正４】
【補正対象書類名】明細書
【補正対象項目名】００１９
【補正方法】変更
【補正の内容】
【００１９】
本発明は、前記記憶部には、前記テストの合否基準データが記憶されており、前記解答入力部に入力された解答の結果と前記合否基準データとに基づいて合否を判定する合否判定部を有し、前記テスト実行部は、前記第２音声データに基づく音声出力の途中又は実行後にテストを実行し、前記音声速度選択部は、前記テストにおいて前記解答入力部で入力された解答の結果と前記合否基準データとに基づいて前記合否判定部により合格であると判定された場合に、前記テストの実行後に実行する前記第１音声データに基づく音声出力の速度を選択し、前記音声出力部は、前記テストの実行後に、前記音声速度選択部で選択された速度で、前記第１音声データに基づく音声出力を前記ＤＰＣ機能により音程を一定に維持した状態で実行することが好ましい。
【手続補正５】
【補正対象書類名】明細書
【補正対象項目名】００２１
【補正方法】変更
【補正の内容】
【００２１】
本発明は、前記記憶部には、前記テストの合否基準データが記憶されており、前記解答入力部に入力された解答の結果と前記合否基準データとに基づいて合否を判定する合否判定部を有し、前記テスト実行部は、前記第２音声データに基づく音声出力の途中又は実行後にテストを実行し、前記音声速度選択部は、前記テストにおいて前記解答入力部で入力された解答の結果と前記合否基準データとに基づいて前記合否判定部により合格であると判定された場合に、前記テストの実行後に実行する前記第２音声データに基づく音声出力の速度を選択し、前記音声出力部は、前記テストの実行後に、前記音声速度選択部で選択された速度で、前記第２音声データに基づく音声出力を前記ＤＰＣ機能により音程を一定に維持した状態で実行することが好ましい。
【手続補正６】
【補正対象書類名】明細書
【補正対象項目名】００２３
【補正方法】変更
【補正の内容】
【００２３】
本発明は、前記記憶部には、前記テストの合否基準データが記憶されており、前記解答入力部に入力された解答の結果と前記合否基準データとに基づいて合否を判定する合否判定部を有し、前記テスト実行部は、前記第１音声データに基づく音声出力の実行後にテストを実行し、前記音声速度選択部は、前記テストにおいて前記解答入力部で入力された解答の結果と前記合否基準データとに基づいて前記合否判定部により不合格であると判定された場合に、前記テストの実行前に実行した前記第１音声データ又は前記第２音声データに基づく音声出力の速度を選択し、前記音声出力部は、前記テストの実行後に、前記音声速度選択部で選択された速度で、前記テストの実行前に実行した前記第１音声データ又は前記第２音声データに基づく音声出力を前記ＤＰＣ機能により音程を一定に維持した状態で再度実行することが好ましい。
【手続補正７】
【補正対象書類名】明細書
【補正対象項目名】００２５
【補正方法】変更
【補正の内容】
【００２５】
本発明は、前記記憶部には、前記テストの合否基準データが記憶されており、前記解答入力部に入力された解答の結果と前記合否基準データとに基づいて合否を判定する合否判定部を有し、前記テスト実行部は、前記第２音声データに基づく音声出力の途中又は実行後にテストを実行し、前記音声速度選択部は、前記テストにおいて前記解答入力部で入力された解答の結果と前記合否基準データとに基づいて前記合否判定部により不合格であると判定された場合に、前記テストの実行前に実行した前記第２音声データに基づく音声出力の速度を選択し、前記音声出力部は、前記テストの実行後に、前記音声速度選択部で選択された速度で、前記テストの実行前に実行した前記第２音声データに基づく音声出力を前記ＤＰＣ機能により音程を一定に維持した状態で再度実行することが好ましい。
【手続補正８】
【補正対象書類名】明細書
【補正対象項目名】００２７
【補正方法】変更
【補正の内容】
【００２７】
本発明は、前記記憶部には、前記テストの合否基準データが記憶されており、前記解答入力部に入力された解答の結果と前記合否基準データとに基づいて合否を判定する合否判定部を有し、前記テスト実行部は、第１ステップにおいて前記第１音声データに基づく音声出力の実行後にテストを実行し、第２ステップにおいて前記第２音声データに基づく音声出力の実行後にテストを実行し、第３ステップにおいて前記第２音声データに基づく音声出力の実行後にテストを実行し、第４ステップにおいて前記第１音声データに基づく音声出力の実行後にテストを実行し、第５ステップにおいて前記第１音声データに基づく音声出力の実行後にテストを実行し、前記音声速度選択部は、前記第１ステップの前記テストにおいて前記解答入力部で入力された解答の結果を考慮して前記第１ステップの前記テストの実行後に実行する前記第２ステップの前記第２音声データに基づく音声出力の速度を選択し、前記第２ステップの前記テストにおいて前記解答入力部で入力された解答の結果と前記合否基準データとに基づいて合格であると前記合否判定部により判定された場合に、前記第２ステップの前記テストの実行後に実行する前記第３ステップの前記第２音声データに基づく音声出力の速度を選択し、あるいは前記第２ステップの前記テストにおいて前記解答入力部で入力された解答の結果と前記合否基準データとに基づいて不合格であると前記合否判定部により判定された場合に、前記第２ステップの前記テストの実行後に再度実行する前記第２ステップの前記第２音声データに基づく音声出力の速度を選択し、前記第３ステップの前記テストにおいて前記解答入力部で入力された解答の結果と前記合否基準データとに基づいて合格であると前記合否判定部により判定された場合に、前記第３ステップの前記テストの実行後に実行する前記第４ステップの前記第１音声データに基づく音声出力の速度を選択し、あるいは前記第３ステップの前記テストにおいて前記解答入力部で入力された解答の結果と前記合否基準データとに基づいて不合格であると前記合否判定部により判定された場合に、前記第３ステップの前記テストの実行後に再度実行する前記第３ステップの前記第２音声データに基づく音声出力の速度を選択し、前記第４ステップの前記テストにおいて前記解答入力部で入力された解答の結果と前記合否基準データとに基づいて合格であると前記合否判定部により判定された場合に、前記第４ステップの前記テストの実行後に実行する前記第５ステップの前記第１音声データに基づく音声出力の速度を選択し、あるいは前記第４ステップの前記テストにおいて前記解答入力部で入力された解答の結果と前記合否基準データとに基づいて不合格であると前記合否判定部により判定された場合に、前記第４ステップの前記テストの実行後に再度実行する前記第３ステップの前記第２音声データ又は前記第４ステップの前記第１音声データのいずれかに基づく音声出力の速度を選択し、前記音声出力部は、前記第１ステップにおいて前記第１音声データに基づく音声出力を実行し、前記第２ステップにおいて前記第２音声データに基づく音声出力を前記音声速度選択部により選択された速度でかつ前記ＤＰＣ機能により音程を一定に維持した状態で実行し、前記第２ステップの前記テストにおいて前記解答入力部で入力された解答の結果と前記合否基準データとに基づいて合格であると前記合否判定部により判定された場合に、前記第３ステップにおいて前記第２音声データに基づく音声出力を前記音声速度選択部により選択された速度でかつ前記ＤＰＣ機能により音程を一定に維持した状態で実行し、あるいは前記第２ステップの前記テストにおいて前記解答入力部で入力された解答の結果と前記合否基準データとに基づいて不合格であると前記合否判定部により判定された場合に、前記第２ステップにおいて前記第２音声データに基づく音声出力を前記音声速度選択部により選択された速度でかつ前記ＤＰＣ機能により音程を一定に維持した状態で再度実行し、前記第３ステップの前記テストにおいて前記解答入力部で入力された解答の結果と前記合否基準データとに基づいて合格であると前記合否判定部により判定された場合に、前記第４ステップにおいて前記第１音声データに基づく音声出力を前記音声速度選択部により選択された速度でかつ前記ＤＰＣ機能により音程を一定に維持した状態で実行し、あるいは前記第３ステップの前記テストにおいて前記解答入力部で入力された解答の結果と前記合否基準データとに基づいて不合格であると前記合否判定部により判定された場合に、前記第３ステップにおいて前記第２音声データに基づく音声出力を前記音声速度選択部により選択された速度でかつ前記ＤＰＣ機能により音程を一定に維持した状態で再度実行し、前記第４ステップの前記テストにおいて前記解答入力部で入力された解答の結果と前記合否基準データとに基づいて合格であると前記合否判定部により判定された場合に、前記第５ステップにおいて前記第１音声データに基づく音声出力を前記音声速度選択部により選択された速度でかつ前記ＤＰＣ機能により音程を一定に維持した状態で実行し、あるいは前記第４ステップの前記テストにおいて前記解答入力部で入力された解答の結果と前記合否基準データとに基づいて不合格であると前記合否判定部により判定された場合に、前記第３ステップにおいて前記第２音声データ又は前記第４ステップにおいて前記第１音声データのいずれかに基づく音声出力を前記音声速度選択部により選択された速度でかつ前記ＤＰＣ機能により音程を一定に維持した状態で再度実行し、前記第５ステップの前記テストにおいて前記解答入力部で入力された解答の結果と前記合否基準データとに基づいて合格であると前記合否判定部により判定された場合に、前記第１音声データ又は前記第２音声データに基づく音声出力を終了し、あるいは前記第５ステップの前記テストにおいて前記解答入力部で入力された解答の結果と前記合否基準データとに基づいて不合格であると前記合否判定部により判定された場合に、前記第１ステップにおいて前記第１音声データに基づく音声出力を再度実行することが好ましい。
【手続補正９】
【補正対象書類名】明細書
【補正対象項目名】００２９
【補正方法】変更
【補正の内容】
【００２９】
本発明は、前記記憶部には、前記テストの合否基準データが記憶されており、前記解答入力部に入力された解答の結果と前記合否基準データとに基づいて合否を判定する合否判定部を有し、前記テスト実行部は、第１ステップにおいて前記第１音声データに基づく音声出力の実行後にテストを実行し、第２ステップにおいて前記第２音声データに基づく音声出力の途中にテストを実行し、第３ステップにおいて前記第２音声データに基づく音声出力の途中にテストを実行し、第４ステップにおいて前記第１音声データに基づく音声出力の実行後にテストを実行し、前記音声速度選択部は、前記第１ステップの前記テストにおいて前記解答入力部で入力された解答の結果を考慮して前記テストの実行後に実行する前記第２ステップの前記第２音声データに基づく音声出力の速度を選択し、前記第２ステップの前記テストにおいて前記解答入力部で入力された解答の結果と前記合否基準データとに基づいて合格であると前記合否判定部により判定された場合に、前記第２ステップの前記テストの実行後に実行する前記第３ステップの前記第２音声データに基づく音声出力の速度を選択し、あるいは前記第２ステップの前記テストにおいて前記解答入力部で入力された解答の結果と前記合否基準データとに基づいて不合格であると前記合否判定部により判定された場合に、前記第２ステップの前記テストの実行後に再度実行する前記第２ステップの前記第２音声データに基づく音声出力の速度を選択し、前記第３ステップの前記テストにおいて前記解答入力部で入力された解答の結果と前記合否基準データとに基づいて合格であると前記合否判定部により判定された場合に、前記第３ステップの前記テストの実行後に実行する前記第４ステップの前記第１音声データに基づく音声出力の速度を選択し、あるいは前記第３ステップの前記テストにおいて前記解答入力部で入力された解答の結果と前記合否基準データとに基づいて不合格であると前記合否判定部により判定された場合に、前記第３ステップの前記テストの実行後に再度実行する前記第３ステップの前記第２音声データに基づく音声出力の速度を選択し、前記音声出力部は、前記第１ステップにおいて前記第１音声データに基づく音声出力を実行し、前記第２ステップにおいて前記第２音声データに基づく音声出力を前記音声速度選択部により選択された速度でかつ前記ＤＰＣ機能により音程を一定に維持した状態で実行し、前記第２ステップの前記テストにおいて前記解答入力部で入力された解答の結果と前記合否基準データとに基づいて合格であると前記合否判定部により判定された場合に、前記第３ステップにおいて前記第２音声データに基づく音声出力を前記音声速度選択部により選択された速度でかつ前記ＤＰＣ機能により音程を一定に維持した状態で実行し、あるいは前記第２ステップの前記テストにおいて前記解答入力部で入力された解答の結果と前記合否基準データとに基づいて不合格であると前記合否判定部により判定された場合に、前記第２ステップにおいて前記第２音声データに基づく音声出力を前記音声速度選択部により選択された速度でかつ前記ＤＰＣ機能により音程を一定に維持した状態で再度実行し、前記第３ステップの前記テストにおいて前記解答入力部で入力された解答の結果と前記合否基準データとに基づいて合格であると前記合否判定部により判定された場合に、前記第４ステップにおいて前記第１音声データに基づく音声出力を前記音声速度選択部により選択された速度でかつ前記ＤＰＣ機能により音程を一定に維持した状態で実行し、あるいは前記第３ステップの前記テストにおいて前記解答入力部で入力された解答の結果と前記合否基準データとに基づいて不合格であると前記合否判定部により判定された場合に、前記第３ステップにおいて前記第２音声データに基づく音声出力を前記音声速度選択部により選択された速度でかつ前記ＤＰＣ機能により音程を一定に維持した状態で再度実行し、前記第４ステップの前記テストにおいて前記解答入力部で入力された解答の結果と前記合否基準データとに基づいて合格であると前記合否判定部により判定された場合に、前記第１音声データ又は第２音声データに基づく音声出力を終了し、あるいは前記第４ステップの前記テストにおいて前記解答入力部で入力された解答の結果と前記合否基準データとに基づいて不合格であると前記合否判定部により判定された場合に、前記第１ステップにおいて前記第１音声データに基づく音声出力を再度実行することが好ましい。  
【国際調査報告】
2010140258.tif 000006
2010140258.tif 000007
2010140258.tif 000008
2010140258.tif 000009